(57)【要約】  本発明は、移動端末機を利用したモバイル広告方法と、モバイル広告用移動端末機及びモバイル広告システムに関する。本発明に係る方法は、味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記人数測定部を利用して前記モバイル広告物が外部に出力されるとき、移動端末機の周辺の人数を測定する人数測定ステップと、前記広告中継サーバが前記測定された人数を受信し、これを加重値に換算して、前記広告実行ステップが行なわれた会員別に広告実績を演算及び管理する広告実績管理ステップとを含む。
2010532515.tif 000002
【特許請求の範囲】
【請求項１】
味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、
前記広告中継サーバが前記移動端末機に前記モバイル広告物を送信して該送信内訳を管理し、前記送信されたモバイル広告物の出力条件を指定する広告物設置ステップと、
前記出力条件が満たされるとき、前記移動端末機が前記広告出力部を介し前記モバイル広告物を外部に出力する広告実行ステップと、
前記人数測定部を利用して前記モバイル広告物が外部に出力されるとき、移動端末機の周辺の人数を測定する人数測定ステップと、
前記広告中継サーバが前記測定された人数を受信し、これを加重値に換算して、前記広告実行ステップが行なわれた会員別に広告実績を演算及び管理する広告実績管理ステップと
を含むことを特徴とするモバイル広告方法。
【請求項２】
味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、
前記広告中継サーバが前記移動端末機に前記モバイル広告物を送信して該送信内訳を管理し、前記送信されたモバイル広告物の出力条件を指定する広告物設置ステップと、
前記出力条件が満たされるとき、前記移動端末機が前記広告出力部を介し前記モバイル広告物を外部に出力する広告実行ステップと、
前記ノイズ測定部を利用して前記モバイル広告物が外部に出力されるとき、移動端末機の周辺のノイズを測定するノイズ測定ステップと、
前記広告中継サーバが前記測定されたノイズを受信し、これを加重値に換算して、前記広告実行ステップが行なわれた会員別に広告実績を演算及び管理する広告実績管理ステップと
を含むことを特徴とするモバイル広告方法。
【請求項３】
味、匂い、音、映像またはこれらの組合せでなる媒体の何れか１つ以上でなるモバイル広告物を外部に出力することができる広告出力部を備えた移動端末機、前記移動端末機の周辺の一定の範囲内に存在する人数、或いは匂い、音、映像またはこれらの組合せでなるノイズに対する設定情報を、前記移動端末機の位置に沿って保存及び管理する支援サーバ、及び前記モバイル広告物を広告主の端末機から収集して会員情報とともに管理する広告中継サーバを利用したモバイル広告方法において、
前記広告中継サーバが前記移動端末機に前記モバイル広告物を送信して該送信内訳を管理し、前記送信されたモバイル広告物の出力条件を指定する広告物設置ステップと、
前記出力条件が満たされるとき、前記移動端末機が前記広告出力部を介し前記モバイル広告物を外部に出力する広告実行ステップと、
前記支援サーバが、前記広告実行ステップが行なわれたことを感知した場合、前記移動端末機の位置に沿う前記設定情報を前記広告中継サーバに送信する設定情報送信ステップと、
前記広告中継サーバが前記設定情報を受信してこれを加重値に換算し、前記広告実行ステップが行なわれた会員別に広告実績を演算及び管理する広告実績管理ステップと
を含むことを特徴とするモバイル広告方法。
【請求項４】
味、匂い、音、映像またはこれらの組合せでなる媒体の何れか１つ以上からなるモバイル広告物を外部に出力することができる広告出力部を備えた移動端末機、前記移動端末機の周辺の一定の範囲内に存在する人数を前記移動端末機の位置に沿って測定及び管理する支援サーバ、及び前記モバイル広告物を広告主の端末機から収集して会員情報とともに管理する広告中継サーバを利用したモバイル広告方法において、
前記広告中継サーバが前記移動端末機に前記モバイル広告物を送信して該送信内訳を管理し、前記送信されたモバイル広告物の出力条件を指定する広告物設置ステップと、
前記出力条件が満たされるとき、前記移動端末機が前記広告出力部を介し前記モバイル広告物を外部に出力する広告実行ステップと、
前記支援サーバが、前記広告実行ステップが行なわれたことを感知した場合、前記移動端末機の位置に沿って測定された人数情報を前記広告中継サーバに送信する人数情報送信ステップと、
前記広告中継サーバが前記人数情報を受信してこれを加重値に換算し、前記広告実行ステップが行なわれた会員別に広告実績を演算及び管理する広告実績管理ステップと
を含むことを特徴とするモバイル広告方法。
【請求項５】
味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、
前記移動端末機側で、前記人数測定部を利用して前記移動端末機の周辺の人数を測定し、前記測定された人数が所定値を超えるのか否かを監視する人数監視ステップと、
前記測定された人数が所定値を超える場合、前記広告中継サーバが前記移動端末機に前記モバイル広告物の強制送信を行ない、前記強制送信の内訳を管理し、前記送信されたモバイル広告物の出力条件を指定する広告物設置ステップと、
前記出力条件が満たされるとき、前記移動端末機は前記広告出力部を介して前記モバイル広告物を外部に出力し、前記広告中継サーバは前記強制送信を許可した会員別に広告実績を演算及び管理する広告実行・実績管理ステップと
を含むことを特徴とするモバイル広告方法。
【請求項６】
味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、
前記移動端末機側で、前記ノイズ測定部を利用して前記移動端末機の周辺のノイズを測定し、前記測定されたノイズが所定値を超えるのか否かを監視する人数監視ステップと、
前記測定されたノイズが所定値未満の場合、前記広告中継サーバが前記移動端末機に前記モバイル広告物の強制送信を行ない、前記強制送信の内訳を管理し、前記送信されたモバイル広告物の出力条件を指定する広告物設置ステップと、
前記出力条件が満たされるとき、前記移動端末機は前記広告出力部を介し前記モバイル広告物を外部に出力し、前記広告中継サーバは前記強制送信を許可した会員別に広告実績を演算及び管理する広告実行・実績管理ステップと
を含むことを特徴とするモバイル広告方法。
【請求項７】
前記広告中継サーバが、前記広告実績に従い、会員である前記移動端末機のユーザーに通信料支援、電子クーポンの発行、電子ポイントの積立及び謝恩品の支給の何れか１つ以上の補償を提供する補償ステップをさらに含むことを特徴とする、請求項１から６の何れか１項に記載のモバイル広告方法。
【請求項８】
前記広告中継サーバは、モバイル広告物が出力される時間帯別に互いに異なる時間別の加重値を設定し、これを前記広告実績の演算時に反映することを特徴とする、請求項１から６の何れか１項に記載のモバイル広告方法。
【請求項９】
前記移動端末機は、前記広告出力部がモバイル広告物を出力する出力レベル、モバイル広告物の出力回数及びモバイル広告物の出力時間のうち少なくとも１つの出力情報を監視する出力情報監視部をさらに備え、
前記広告中継サーバは、前記移動端末機から前記出力情報を受信して前記広告実績の演算時に反映することを特徴とする、請求項１から６の何れか１項に記載のモバイル広告方法。
【請求項１０】
前記移動端末機は、周辺の一定の範囲内に存在する匂い、音、映像またはこれらの組合せでなるノイズを測定することができるノイズ測定部をさらに備え、
前記ノイズ測定部を利用して前記モバイル広告物が外部に出力されるとき、移動端末機の周辺のノイズを測定するノイズ測定ステップをさらに含み、
前記広告中継サーバは、前記移動端末機から前記測定された人数以外に前記測定されたノイズもともに受信してこれを加重値に換算することを特徴とする、請求項１に記載のモバイル広告方法。
【請求項１１】
前記人数測定部が人数を測定する前記一定の範囲は、前記ノイズ測定部で測定されたノイズのレベルに応じて差別的に設定されることを特徴とする、請求項１０に記載のモバイル広告方法。
【請求項１２】
前記支援サーバは、移動通信に加入した移動端末機ユーザーの位置情報を追跡・管理する基地局を含み、前記基地局により測定された前記一定の範囲内の移動端末機の個数を人数として測定することを特徴とする、請求項４に記載のモバイル広告方法。
【請求項１３】
前記移動端末機及び前記支援サーバは、それぞれ衛星との交信を可能にするＧＰＳ手段をさらに備え、
前記支援サーバは、前記衛星から受信した移動端末機の位置情報に基づき、前記一定の範囲内の移動端末機の個数を人数として測定することを特徴とする、請求項４に記載のモバイル広告方法。
【請求項１４】
前記人数測定部は、前記一定の範囲内に存在する他の移動端末機と交信することができる近距離通信手段を含み、前記人数は前記近距離通信手段により測定された他の移動端末機の個数として定義されることを特徴とする、請求項１に記載のモバイル広告方法。
【請求項１５】
前記近距離通信手段は、赤外線通信により移動端末機の個数を把握することができる赤外線通信手段を含み、
前記移動端末機は、前記一定の範囲内に存在するとしても前記赤外線通信手段との交信が不能な状態にある他の移動端末機は人数としてカウントしないことを特徴とする、請求項１４に記載のモバイル広告方法。
【請求項１６】
前記近距離通信手段で他の移動端末機と交信し、前記移動端末機の周辺の一定の範囲に存在する他の移動端末機が、前記移動端末機から出力されるモバイル広告物と同一のモバイル広告物を設けておいたのか否かを確認する第１ステップと、前記同一のモバイル広告物を設けておいた他の移動端末機がネットワーク型モバイル広告を許可したのか否かを確認する第２ステップと、前記ネットワーク型モバイル広告を許可した他の移動端末機をして前記同一のモバイル広告物を外部に出力させる第３ステップとでなるネットワークモバイル広告ステップをさらに含むことを特徴とする、請求項１４に記載のモバイル広告方法。
【請求項１７】
前記出力条件は、前記移動端末機が呼信号を着信する場合であることを特徴とする、請求項１から６の何れか１項に記載のモバイル広告方法。
【請求項１８】
前記広告出力部を無出力状態に設定した場合でも、前記出力条件が満たされるときは前記モバイル広告物を外部に強制出力するように、前記移動端末機に対しオーバーライド機能を設定するオーバーライド設定ステップをさらに含むことを特徴とする、請求項１から６の何れか１項に記載のモバイル広告方法。
【請求項１９】
前記近距離通信手段は、無線電波を交信して移動端末機の個数を把握することができる無線通信手段を含むことを特徴とする、請求項１４に記載のモバイル広告方法。
【請求項２０】
味、匂い、音、映像またはこれらの組合せでなる媒体の何れか１つ以上からなるモバイル広告物を保存する保存部と、
前記モバイル広告物を所定の出力条件に従って外部に出力することができる広告出力部と、
周辺の一定の範囲内に存在する人数を測定することができる人数測定部と、
前記モバイル広告物を広告主の端末機から収集して会員情報とともに管理する広告中継サーバと通信可能な無線送受信部と、
前記保存部、広告出力部、人数測定部及び無線送受信部と接続して機器の全体的な制御を担当する制御部と、を備え、
前記制御部は、前記出力条件が満たされるとき、前記広告出力部を介し前記モバイル広告物を外部に出力し、前記人数測定部を利用して前記モバイル広告物が外部に出力されるとき、移動端末機の周辺の人数を測定し、前記無線送受信部を介し該測定値を前記広告中継サーバに送信することにより、前記広告中継サーバが前記測定された人数を受信してこれを加重値に換算し、前記モバイル広告物を出力した会員別に広告実績を演算及び管理できるようにすることを特徴とするモバイル広告用移動端末機。
【請求項２１】
味、匂い、音、映像またはこれらの組合せでなる媒体の何れか１つ以上からなるモバイル広告物を保存する保存部と、
前記モバイル広告物を所定の出力条件に従って外部に出力することができる広告出力部と、
周辺の一定の範囲内に存在する匂い、音、映像またはこれらの組合せでなるノイズを測定することができるノイズ測定部と、
前記モバイル広告物を広告主の端末機から収集して会員情報とともに管理する広告中継サーバと通信可能な無線送受信部と、
前記保存部、広告出力部、ノイズ測定部及び無線送受信部と接続して機器の全体的な制御を担当する制御部と、を備え、
前記制御部は、前記出力条件が満たされるとき、前記広告出力部を介し前記モバイル広告物を外部に出力し、前記ノイズ測定部を利用して前記モバイル広告物が外部に出力されるとき、移動端末機の周辺のノイズを測定し、前記無線送受信部を介し該測定値を前記広告中継サーバに送信することにより、前記広告中継サーバが前記測定されたノイズを受信してこれを加重値に換算し、前記モバイル広告物を出力した会員別に広告実績を演算及び管理できるようにすることを特徴とするモバイル広告用移動端末機。
【請求項２２】
味、匂い、音、映像またはこれらの組合せでなる媒体の何れか１つ以上からなるモバイル広告物を外部に出力することができる広告出力部を備えた移動端末機と、前記移動端末機の周辺の一定の範囲内に存在する人数、或いは匂い、音、映像またはこれらの組合せでなるノイズに対する設定情報を前記移動端末機の位置に沿って保存及び管理する支援サーバと、前記モバイル広告物を広告主の端末機から収集して会員情報とともに管理する広告中継サーバとを備えるモバイル広告システムにおいて、
前記広告中継サーバは、前記移動端末機に前記モバイル広告物を送信して該送信内訳を管理し、前記送信されたモバイル広告物の出力条件を指定し、
前記移動端末機は、前記出力条件が満たされるとき、前記広告出力部を介し前記モバイル広告物を外部に出力し、
前記支援サーバは、前記モバイル広告物が出力された場合、前記移動端末機の位置に沿う前記設定情報を前記広告中継サーバに送信し、
前記広告中継サーバは、前記設定情報を受信してこれを加重値に換算し、前記モバイル広告物を出力した会員別に広告実績を演算及び管理する
ことを特徴とするモバイル広告システム。
【請求項２３】
味、匂い、音、映像またはこれらの組合せでなる媒体の何れか１つ以上からなるモバイル広告物を外部に出力することができる広告出力部を備えた移動端末機と、前記移動端末機の周辺の一定の範囲内に存在する人数を前記移動端末機の位置に沿って測定及び管理する支援サーバと、前記モバイル広告物を広告主の端末機から収集して会員情報とともに管理する広告中継サーバとを備えるモバイル広告システムにおいて、
前記広告中継サーバは、前記移動端末機に前記モバイル広告物を送信して該送信内訳を管理し、前記送信されたモバイル広告物の出力条件を指定し、
前記移動端末機は、前記出力条件が満たされるとき、前記広告出力部を介し前記モバイル広告物を外部に出力し、
前記支援サーバは、前記モバイル広告物が出力された場合、前記移動端末機の位置に沿って測定された人数情報を前記広告中継サーバに送信し、
前記広告中継サーバは、前記人数情報を受信してこれを加重値に換算し、前記モバイル広告物を出力した会員別に広告実績を演算及び管理する
ことを特徴とするモバイル広告システム。
【請求項２４】
味、匂い、音、映像またはこれらの組合せでなる媒体の何れか１つ以上からなるモバイル広告物を保存する保存部と、
前記モバイル広告物を所定の出力条件に従って外部に出力することができる広告出力部と、
周辺の一定の範囲内に存在する人数を測定することができる人数測定部と、
前記モバイル広告物を広告主の端末機から収集して会員情報とともに管理する広告中継サーバと通信可能な無線送受信部と、
前記保存部、広告出力部、人数測定部及び無線送受信部と接続して機器の全体的な制御を担当する制御部と、を備え、
前記制御部は、前記人数測定部を介し移動端末機の周辺の人数を測定し、前記測定された人数が所定値を超えるのか否かを監視し、前記測定された人数が所定値を超える場合、前記広告中継サーバから前記モバイル広告物の強制送信を受けて、前記出力条件が満たされるとき、前記広告出力部を介し前記モバイル広告物を外部に出力し、前記広告中継サーバにモバイル広告物の出力内訳を送信することにより、前記広告中継サーバが前記強制送信を許可した会員別に広告実績を演算及び管理できるようにすることを特徴とするモバイル広告用移動端末機。
【請求項２５】
味、匂い、音、映像またはこれらの組合せでなる媒体の何れか１つ以上からなるモバイル広告物を保存する保存部と、
前記モバイル広告物を所定の出力条件に従って外部に出力することができる広告出力部と、
周辺の一定の範囲内に存在する匂い、音、映像またはこれらの組合せでなるノイズを測定することができるノイズ測定部と、
前記モバイル広告物を広告主の端末機から収集して会員情報とともに管理する広告中継サーバと通信可能な無線送受信部と、
前記保存部、広告出力部、人数測定部及び無線送受信部と接続して機器の全体的な制御を担当する制御部と、を備え、
前記制御部は、前記ノイズ測定部を介し移動端末機の周辺のノイズを測定し、前記測定されたノイズが所定値を超えるのか否かを監視し、前記測定されたノイズが所定値を超える場合、前記広告中継サーバから前記モバイル広告物の強制送信を受けて、前記出力条件が満たされるとき、前記広告出力部を介し前記モバイル広告物を外部に出力して前記広告中継サーバに該内訳を送信することにより、前記広告中継サーバが前記強制送信を許可した会員別に広告実績を演算及び管理できるようにすることを特徴とするモバイル広告用移動端末機。
【発明の詳細な説明】
【技術分野】
【０００１】
本発明は、移動端末機を利用したモバイル広告方法、並びにこれを実施可能なモバイル広告用移動端末機及びモバイル広告システムに関し、より詳しくは、移動端末機を利用してモバイル広告物を外部に出力する場合、広告中継サーバがモバイル広告による広告実績を会員別に信頼度よく把握することができる移動端末機を利用したモバイル広告方法、並びにこれを実施可能なモバイル広告用移動端末機及びモバイル広告システムに関する。
【背景技術】
【０００２】
最近、携帯電話、ＰＤＡ、ノートパソコンなどのような移動端末機は、単に移動通信や無線インターネットのような通信手段としてのみ機能するものではなく、カメラ、ゲーム及びナビゲーションのように通信以外の多様な手段としても開発されている。
【０００３】
このような移動端末機の機能多様化は、マルチメディア技術の発展とも密接に関連している。例えば、移動端末機は内装タイマーを備えてアラーム時計として機能するのは勿論のこと、高画質の映像と高音質の音源を出力することにより、モバイル映像機器乃至モバイル音源プレーヤーにも使用可能である。また、ＧＰＳを搭載して車両及び歩行者用位置案内手段としての使用も可能であり、さらには、香りを発散することによりストレスセラピー(Stress Therapy)の用途にも使用可能である。
【０００４】
移動端末機を介し香りを発散する技術と関連しては韓国公開特許第２００６−７１２５号を挙げることができ、この技術はデータの送信を処理する２つのＰＡＭの間と該ＰＡＭの付近に香り発生素子を設け、ＰＡＭから発生する熱を利用して香りを発散する移動端末機を提案している。特に、温度に伴い香りやその濃度が異なるよう発散することができる。交換可能な香り用カートリッジを用いるこの移動端末機は、該端末機のユーザーにストレスの解消を提供するため香りを発散する。
【０００５】
移動端末機の機能がこのように多様化されマルチメディアとしての機能が強力になるに伴い、移動端末機を介し出力される音や映像をモバイル広告手段に活用するアイディアも提案されている。移動端末機をモバイル広告手段として活用する例には、携帯電話やＰＤＡの待受画面、着信音または呼出音などを広告手段として活用するマーケティング技法を挙げることができる。
【０００６】
広告サービスを提供する移動通信サーバ及び前記サーバの運用方法に関する韓国公開特許第２００７−１８２９６号（以下、「特許文献１」と記す)は移動端末機を利用した広告技術である。特許文献１によれば、広告サービス加入者の移動通信端末機にサービス制御メッセージ及び広告コンテンツを送信し、サービス制御メッセージを通じて所定の期間のあいだ広告コンテンツが移動通信端末機を介して持続的に行なわれるように制御することにより、移動通信端末機のユーザーが広告コンテンツの実行を介し料金減免の提供を受け、移動通信事業者は広告効果を最大化するアイディアが提供される。
【０００７】
特許文献１に係る広告サービス提供方法を具体的に検討してみれば、前記広告サービスの加入者に対する加入者情報及び前記加入者情報に対応するサービス情報が記録された加入者データベースを維持するステップと、１つ以上の広告コンテンツが記録されたコンテンツデータベースを維持するステップと、前記加入者データベースから所定のサービス情報を抽出し、前記抽出したサービス情報を含むサービス制御メッセージを生成するステップと、前記サービス制御メッセージを前記サービス情報に対応する加入者の移動通信端末機に送信して前記移動通信端末機の機能設定を制御するステップと、前記コンテンツデータベースから所定の広告コンテンツを抽出し、前記移動通信端末機に送信するステップとを含み、前記サービス制御メッセージは前記広告コンテンツが前記広告サービス有効期間情報による期間のあいだ、前記移動通信端末機で持続的に行なわれるように前記移動通信端末機の機能設定を制御し、前記移動通信端末機では、前記移動通信サーバから前記サービス制御メッセージ及び前記広告コンテンツを受信して所定のメモリ手段に記録するステップと、前記サービス制御メッセージに含まれたサービス情報を判読して広告サービス有効期間情報による有効期間が満了する時点まで、前記広告コンテンツが引き続き行なわれるように制御するステップと、ユーザーから前記広告コンテンツ実行の変更命令を受信するステップと、前記メモリ手段に記録された前記サービス制御メッセージに含まれたサービス情報から前記広告サービス有効期間情報を判読するステップと、前記判読の結果、前記有効期間が満了していない場合、前記広告コンテンツ実行の変更不可に対するメッセージを前記ユーザーにディスプレイするステップと、前記サービス情報の判読の結果、前記有効期間が満了した場合、前記広告コンテンツの実行を終了するステップとを含む動作が行なわれることを特徴としている。
【０００８】
このように、特許文献１は移動通信端末機の待受画面、着信音または呼出音などを広告コンテンツに活用する技術を提案している。音以外にも、最近の移動端末機が有するマルチメディア機能を活用する技術が韓国公開特許第２００１−１１２７９５号（以下、「特許文献２」と記す)に提示されている。
【０００９】
特許文献２に係るマルチメディア端末機は、音声、データ及び映像などのマルチメディアデータを送受信する送受信装置と、公衆電話網、移動通信網、インターネット網及び衛星通信網と有線または無線で繋がれた交換局や基地局を介し、有線または無線でマルチメディアデータを送受信して各種のデータを処理するデータ処理手段を含むマルチメディア端末機において、音声、データ及び映像などの各種のデータを入力する入力手段と、前記入力手段を利用して前記交換局や基地局に設けられたコンピューターの記憶装置に保存された音声、データ及び映像などのマルチメディア広告、または前記マルチメディア端末機の記憶手段に保存されたマルチメディア広告の再生を設定する広告設定手段と、前記マルチメディア端末機の状態が待受け、発信または着信、通話状態なのかを検出する状態検出手段と、前記マルチメディア広告を出力する出力手段とを備え、前記状態検出手段で検出された状態に応じて前記マルチメディア広告を待受広告、発信または着信広告、通話広告の何れか1つの形態で前記出力手段を介し再生することを特徴とする。
【００１０】
このような特許文献２に係るマルチメディア端末機は、通信利用者に聴覚及び視覚的に広告することができるとの効果がある。
【００１１】
その他にも、無線端末機を利用した広告／広報目標顧客の選択方法に関する韓国公開特許第２００２−７５１１７号（以下、「特許文献３」と記す）は、無線端末機を利用した広告／広報目標顧客の選択方法を提案している。特に、特許文献３は無線端末機を携帯した状態で移動中の可能性が高い人や、特定地域に一定時間滞留し、且つ、無線端末機を介し送信される広告メッセージに直接反応する確率の高い人だけを選別抽出し、彼等だけを対象に個別会社が依頼した広告メッセージを送信することにより無分別な広告メッセージの氾濫が予防されるようにするとともに、選別的広告メッセージの送信に伴い顧客の信頼感を向上させることができるアイディアを提供する。ひいては、特許文献３は個別会社が希望する目標、即ち選別過程により抽出された顧客のみを対象にして選択的な広告メッセージを送信させるので、最大化された広告効果とともに広告費用の低減の効果を期待することもできるビジネスモデルを提示している。
【００１２】
このように、移動端末機が有する多様なマルチメディア機能を広告に活用するためのアイディアは数多く提示されてきた。しかし、これらの従来の技術には次のような限界がある。
【００１３】
先ず、特許文献１及び特許文献２のような従来の技術は、移動端末機を利用した広告がモバイル広告であるとの点に対しては着目されていない。即ち、特許文献１で言及した待受画面や着信音を利用した広告は、単に移動端末機のユーザー自分だけが視聴する画面でなく、ユーザーが移動端末機を用いるとすれば何処でも他人にオープンにされ得る性質のマルチメディアである。したがって、それは、移動する電光掲示板やＴＶのような広告露出手段として使用可能なものである。
【００１４】
さらに、特許文献２の場合も、待受け、発信及び着信型広告として移動端末機を利用したマルチメディア広告を細分化しているが、さらにはこれらの広告が露出される周辺状況に従いモバイル広告として機能することができるとの点に対しては着目されていない。前記のような限界により、特許文献１と特許文献２は全て移動端末機から出力されるマルチメディア広告が露出される周辺の状況に従って広告成果を別に評価しなければならないとの点を認識していない。
【００１５】
特許文献１のように、自社の広告音楽を着信音広告に設定して広告成果を発生させた移動端末機のユーザーに料金割引などの恩恵を提供する場合、料金割引額を支払わなければならない広告主の立場では自分の広告物が実際にどれほどの広告成果を出したのか分からない。これは特許文献２の場合にも同様であって、広告主が、移動端末機を利用した広告成果の把握ができないので、広告成果に伴う恩恵の程度の判断も困難であり、且つ、ユーザーにより広告成果が異なり得るとの点を恩恵に反映できないので、ユーザーの広告参加度を向上させることができないとの問題がある。
【００１６】
特に、匂いのように、特許文献１，２で全く予想できなかった媒体を広告手段に活用する場合、匂い広告が周辺にどれほどの広告成果を出すことができるのかを判定することが、広告費を支払わなければならない広告主の立場では非常に重要な事案であるにもかかわらず、特許文献１，２はこれを解決することができる方案を提示しておらず、これはモバイル映像広告やモバイル音広告を利用する場合も同様である。
【００１７】
さらに、特許文献３は、移動端末機で広告が行なわれる場合には移動端末機ユーザーの移動性が考慮されなければならないとの点を勘案してはいる。しかし、特許文献３で取り扱う広告メッセージは、広告を受信する移動端末機のユーザー自身にのみ限られた広告物なので、特許文献３は移動端末機のマルチメディア機能を活用して移動端末機ユーザーの周辺にいる人達にまで広告効果を及ぼすことができるモバイル広告の概念自体を取り扱うことができない限界がある。これは特許文献１，２の場合も同様である。特許文献１乃至特許文献３の何れも、移動端末機で行なわれるモバイル広告が有する特殊性を勘案して広告が行なわれなければならないとの点に対しては具体的に取り扱っておらず、モバイル広告の特殊性に適した具体的な広告方法の提案もしていない。
【先行技術文献】
【特許文献】
【００１８】
【特許文献１】韓国公開特許第２００７−１８２９６号
【特許文献２】韓国公開特許第２００１−１１２７９５号
【特許文献３】韓国公開特許第２００２−７５１１７号
【発明の概要】
【発明が解決しようとする課題】
【００１９】
本発明は、前述のような従来の技術の問題点に鑑みてなされたものであり、移動端末機を利用した広告をモバイル広告として把握し、このモバイル広告が行なわれる状況が時々刻々に変化し得るとの点に鑑み、モバイル広告という特殊な状況に適した移動端末機を利用したモバイル広告方法を提供することに目的がある。さらに、前述のようなモバイル広告方法を具現することができるモバイル広告用移動端末機とモバイル広告システムを提供することをさらに他の目的とする。
【課題を解決するための手段】
【００２０】
本発明の第１側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記人数測定部を利用して前記モバイル広告物が外部に出力されるとき、移動端末機の周辺の人数を測定する人数測定ステップと、前記広告中継サーバが前記測定された人数を受信し、これを加重値に換算して、前記広告実行ステップが行なわれた会員別に広告実績を演算及び管理する広告実績管理ステップとを含むことを特徴とする。
【００２１】
即ち、本発明は先ず、時々刻々に変化するモバイル広告環境として周辺人数を考慮している。移動端末機を介し匂いや音、映像などの媒体からなるモバイル広告物が出力されるとき、そのような広告物にさらされる人数が多ければ多いほどさらに大きい広告実績を認めるのが妥当なので、本発明は人数測定部を備えた移動端末機からモバイル広告物が出力される時の周辺人数を把握し、これを広告中継サーバに送信して広告中継サーバが広告実績を管理するのにおいて加重値として反映させるアイディアを提案したのである。
【００２２】
本発明の第１側面に係るモバイル広告方法において、前記移動端末機は、周辺の一定の範囲内に存在する匂い、音、映像またはこれらの組合せでなるノイズを測定することができるノイズ測定部をさらに備え、前記ノイズ測定部を利用して前記モバイル広告物が外部に出力されるとき、移動端末機の周辺のノイズを測定するノイズ測定ステップをさらに含み、前記広告中継サーバは、前記移動端末機から前記測定された人数以外に前記測定されたノイズもともに受信してこれを加重値に換算するのが好ましい。
【００２３】
これは時々刻々に変化するモバイル広告環境として人数以外に周辺のノイズまで勘案する構成であって、モバイル広告が行なわれるとき、周辺に如何に多い人がいてもモバイル広告と関連する音、映像、匂いなどを周辺のノイズにより区別することができない状況であれば、これを広告実績の評価において否定的な要素として考慮させている。換言すれば、本発明は視覚、聴覚、嗅覚、味覚など人の感覚を刺激して媒体の広告効果を希薄化し低下させ得る外部の環境をノイズと見做し、これをモバイル広告の実績評価に反映させている。ここで、周辺のノイズを測定する手段はモバイル広告の媒体類型に応じて異なり得る。モバイル広告物が音媒体の形態を取る場合であれば、移動端末機のノイズ測定部は周辺の騷音を測定することができるマイクになるはずである。モバイル広告物が映像媒体の場合であれば、ノイズ測定部は移動端末機の周辺の光量を測定する光センサであるのが好ましいはずである。匂いや味の形態を取るモバイル広告物に対してもノイズ測定部がそれに合わせて構成されなければならない。
【００２４】
さらに、本発明の第１側面に係るモバイル広告方法の場合、前記人数測定部が人数を測定する前記一定の範囲は、前記ノイズ測定部で測定されたノイズのレベルに応じて差別的に設定されるのがより好ましい。
【００２５】
即ち、移動端末機の周辺人数と周辺ノイズを同時に考慮する場合は、移動端末機が測定した周辺ノイズのレベルに従ってモバイル広告物の広告力が及ぶ範囲に制限を加え、該制限範囲内で人数を測定させることにより、より正確な広告実績管理を可能にする。例えば、モバイル広告物が出力されるとき、周辺人数を測定する一定の範囲のデフォルト値を１０ｍに設定しても、周辺の騷音が大き過ぎて１０ｍの距離に位置する人にはモバイル広告物の音が聞こえない場合もあり得るので、周辺のノイズに従って差別的に範囲設定をして人数を測定することは、モバイル広告物が出力される時の広告実績を精緻に把握できるようにする。なお、ノイズのレベルは視覚、聴覚、嗅覚、味覚やこれらの組合せをデジタル化して測定することができる公知の測定技法をもって表現すればよい。
【００２６】
一方、本発明の第１側面に係るモバイル広告方法において、前記人数測定部は、前記一定の範囲内に存在する他の移動端末機と交信することができる近距離通信手段を含み、前記人数は前記近距離通信手段により測定された他の移動端末機の個数として定義されるのが好ましい。さらに、ここで前記近距離通信手段は、赤外線通信により移動端末機の個数を把握することができる赤外線通信手段を含む。前記移動端末機は、前記一定の範囲内に存在するとしても前記赤外線通信手段との交信が不能な状態にある他の移動端末機は、人数としてカウントしないのがさらに好ましい。
【００２７】
これは現在普及している移動端末機に赤外線通信装置のような近距離通信手段が取り付けられる場合が多いとの点を勘案した構成であって、近距離通信手段を利用すれば、近距離にある移動端末機間の交信が可能であるとの点を利用して人数を測定し、これを広告実績に加重値として反映させたものである。但し、近距離通信手段が赤外線方式の通信をする場合は、赤外線が通過できない障害物が塞いでいる人の移動端末機とは交信が不能なので、この場合は、たとえ近くの位置に存在する移動端末機であるとしても広告効果を認めないようにするのが好ましいはずである。
【００２８】
一方、前記近距離通信手段は、無線電波を交信して移動端末機の個数を把握することができる無線通信手段を含むように構成することができる。赤外線方式の通信を利用する場合は、壁のような障害物のあるとき移動端末機の個数の把握が困難なので、無線周波数を利用することにより移動端末機の周辺に存在する他の移動端末機の個数を正確に把握することが可能である。
【００２９】
本発明の第１側面に係るモバイル広告方法は、ネットワーク型広告方法としての拡張が可能である。即ち、本発明の第１側面に係るモバイル広告方法は、前記近距離通信手段で他の移動式及び固定式端末機と交信し、前記移動端末機の周辺の一定の範囲に存在する他の移動式及び固定式端末機が、前記移動端末機から出力されるモバイル広告物と同一のモバイル広告物を設けておいたのか、或いは同一のモバイル広告物の設置及び送信を許可し、該許可された同一のモバイル広告物が該移動式及び固定式端末機に設けられるのか否かを確認する第１ステップと、前記同一のモバイル広告物を設けたかそのような設置を許可した他の移動式或いは固定式端末機がネットワーク型モバイル広告を許可したのか否かを確認する第２ステップと、前記ネットワーク型モバイル広告を許可した他の移動式或いは固定式端末機をして前記同一のモバイル広告物を外部に出力させる第３ステップとによってなるネットワークモバイル広告ステップをさらに含むことができ、この場合、モバイル広告が行なわれると、移動端末機の周辺に存在する他の移動式及び固定式端末機からもモバイル広告物が出力されて広告の効果を最大化することができる。このようなネットワーク型モバイル広告は、モバイル広告を最初に行なった第１移動端末機と近接した第２移動端末機でも広告が行なわれるようにすることができるだけでなく、第２移動端末機の周辺に存在する第３移動端末機に対しても連鎖的に適用可能である。
【００３０】
但し、ネットワーク型モバイル広告の実行においては即刻の広告物の出力が保障されなければならないので、ネットワーク型モバイル広告を行なう前に、現在出力されるモバイル広告物と同一のモバイル広告物が他の移動端末機に設けられているのか否かを確認する作業が先行しなければならない。
【００３１】
次に、本発明の第２側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記ノイズ測定部を利用して前記モバイル広告物が外部に出力されるとき、移動端末機の周辺のノイズを測定するノイズ測定ステップと、前記広告中継サーバが前記測定されたノイズを受信し、これを加重値に換算して、前記広告実行ステップが行なわれた会員別に広告実績を演算及び管理する広告実績管理ステップとを含むことを特徴とする。
【００３２】
これは、移動端末機で行なわれるモバイル広告物の時々刻々に変化する広告環境の中でも、移動端末機の周辺のノイズを広告実績に考慮しなければならない重要な広告環境として把握した構成である。本発明は、味、匂い、音、映像またはこれらの組合せでなる多様な広告媒体を取り扱っているので、広告効果を妨げる「ノイズ」もまた、味、匂い、音、映像またはこれらの組合せでなる多様な形態になり得、よって、ノイズを測定するノイズ測定部は各媒体に適した構成としてなされなければならず、これは前記で説明したものと同様である。
【００３３】
本発明の第３側面に係るモバイル広告方法は、味、匂い、音、映像またはこれらの組合せでなる媒体の何れか１つ以上でなるモバイル広告物を外部に出力することができる広告出力部を備えた移動端末機、前記移動端末機の周辺の一定の範囲内に存在する人数、或いは匂い、音、映像またはこれらの組合せでなるノイズに対する設定情報を、前記移動端末機の位置に沿って保存及び管理する支援サーバ、及び前記モバイル広告物を広告主の端末機から収集して会員情報とともに管理する広告中継サーバを利用したモバイル広告方法において、 前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記支援サーバが、前記広告実行ステップが行なわれたことを感知した場合、前記移動端末機の位置に沿う前記設定情報を前記広告中継サーバに送信する設定情報送信ステップと、前記広告中継サーバが前記設定情報を受信してこれを加重値に換算し、前記広告実行ステップが行なわれた会員別に広告実績を演算及び管理する広告実績管理ステップとを含むことを特徴とする。
【００３４】
前述した本発明の第１及び第２側面に係るモバイル広告方法は、移動端末機側で広告実績に反映する加重値として用いる周辺人数やノイズを測定させた構成である反面、本発明の第３側面に係るモバイル広告方法は、移動端末機の位置を追跡し、移動端末機の位置に沿って移動端末機の周辺の一定の範囲内に存在する人数、或いは匂い、音、映像またはこれらの組合せでなるノイズに対する設定情報を保存及び管理する支援サーバを利用するとの点で相違する。
【００３５】
支援サーバを利用する場合、移動端末機に人数やノイズを測定するための別途の構成を備えなくともよいとの利点があり、この場合、支援サーバは、例えばソウルの江南駅に対しては騷音ノイズと人数を全て高い値に設定しておくことにより、広告中継サーバが広告実績を評価するとき、江南駅の騷音加重値は０．５、人数加重値は２．０が適用されるように構成することが可能である。
【００３６】
これと関連し、本発明の第４側面に係るモバイル広告方法は、味、匂い、音、映像またはこれらの組合せでなる媒体の何れか１つ以上からなるモバイル広告物を外部に出力することができる広告出力部を備えた移動端末機、前記移動端末機の周辺の一定の範囲内に存在する人数を前記移動端末機の位置に沿って測定及び管理する支援サーバ、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記支援サーバが、前記広告実行ステップが行なわれたことを感知した場合、前記移動端末機の位置に沿って測定された人数情報を前記広告中継サーバに送信する人数情報送信ステップと、前記広告中継サーバが前記人数情報を受信してこれを加重値に換算し、前記広告実行ステップが行なわれた会員別に広告実績を演算及び管理する広告実績管理ステップとを含むことを特徴とする。
【００３７】
本発明の第４側面に係る広告方法は、前述の第１側面に係る広告方法と比べると、支援サーバが移動端末機の人数測定機能に代わるという違いがある。即ち、本発明の第１側面に係る広告方法の場合は、移動端末機が人数測定部を備え、モバイル広告が行なわれるとき周辺の人数を測定させているが、本発明の第３側面に係る広告方法は、移動端末機にこのような人数測定部を設けなくとも、支援サーバが人数を測定して広告実績に反映することが可能である。一方、もし支援サーバと無線で情報を交換することができるノイズ測定器が地域別に配置されている場合は、支援サーバが人数を測定するだけでなく、移動端末機の位置別に存在するノイズまで測定可能なことは当然である。支援サーバがノイズの測定まで支援することができれば、移動端末機にはノイズの測定のための構成要素等、例えばマイクや光センサ、粒子抽出機などの装置を設ける必要がなくなる。
【００３８】
本発明の第４側面に係る広告方法において、前記支援サーバは、移動通信に加入した移動端末機ユーザーの位置情報を追跡・管理する基地局を含み、前記基地局により測定された前記一定の範囲内の移動端末機の個数を人数として測定するのが好ましい。さらに、前記移動端末機及び前記支援サーバは、それぞれ衛星との交信を可能にするＧＰＳ手段をさらに備え、前記支援サーバは、前記衛星から受信した移動端末機の位置情報に基づき前記一定の範囲内の移動端末機の個数を人数として測定するのも好ましい。
【００３９】
一方、本発明の第５側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、前記移動端末機側で、前記人数測定部を利用して前記移動端末機の周辺の人数を測定し、前記測定された人数が所定値を超えるのか否かを監視する人数監視ステップと、前記測定された人数が所定値を超える場合、前記広告中継サーバが前記移動端末機に前記モバイル広告物の強制送信を行ない、前記強制送信の内訳を管理し、前記送信されたモバイル広告物の出力条件を指定する広告物設置ステップと、前記出力条件が満たされるとき、前記移動端末機は前記広告出力部を介して前記モバイル広告物を外部に出力し、前記広告中継サーバは前記強制送信を許可した会員別に広告実績を演算及び管理する広告実行・実績管理ステップとを含むことを特徴とする。
【００４０】
さらに、本発明の第６側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、前記移動端末機側で、前記ノイズ測定部を利用して前記移動端末機の周辺のノイズを測定し、前記測定されたノイズが所定値を超えるのか否かを監視する人数監視ステップと、前記測定されたノイズが所定値未満の場合、前記広告中継サーバが前記移動端末機に前記モバイル広告物の強制送信を行ない、前記強制送信の内訳を管理し、前記送信されたモバイル広告物の出力条件を指定する広告物設置ステップと、前記出力条件が満たされるとき、前記移動端末機は前記広告出力部を介し前記モバイル広告物を外部に出力し、前記広告中継サーバは前記強制送信を許可した会員別に広告実績を演算及び管理する広告実行・実績管理ステップとを含むことを特徴とする。
【００４１】
即ち、本発明の第５及び第６側面に係るモバイル広告方法は、移動端末機に人数測定部やノイズ測定部を備えるようにして移動端末機の周辺人数や周辺ノイズを持続的に監視したあと、周辺の人数が所定値を超えるか、周辺のノイズが所定値より低くなってモバイル広告の実行に適すると認められるときのみにモバイル広告が行なわれるようにする技術である。この場合、移動端末機がモバイル広告物を常に保存している必要がないので、移動端末機のメモリ負担を低減させることができる。
【００４２】
一方、前述した本発明の第１〜第６側面に係るモバイル広告方法の場合、前記広告中継サーバが、前記広告実績に従い、会員である前記移動端末機のユーザーに通信料支援、電子クーポンの発行、電子ポイントの積立及び謝恩品の支給の何れか１つ以上の補償を提供する補償ステップをさらに含むのが好ましい。
【００４３】
これは、広告中継サーバが得た会員別の広告実績の情報を利用して広告中継サーバで行なうモバイル広告に参加した会員等に補償するステップであって、これを介しモバイル広告に対するユーザーの参加度を高めることができる。
【００４４】
さらに、前述した本発明の第１〜第６側面に係るモバイル広告方法の場合、前記広告中継サーバは、モバイル広告物が出力される時間帯別に互いに異なる時間別の加重値を設定し、これを前記広告実績の演算時に反映するのがより好ましい。同じ場所であるとしても、その場所の人数やノイズは時間帯別に変化するので、これを広告実績にともに反映すれば、さらに精緻な広告実績の評価が可能なはずである。
【００４５】
さらに、前記移動端末機は、前記広告出力部がモバイル広告物を出力する出力レベル、モバイル広告物の出力回数及びモバイル広告物の出力時間のうち少なくとも１つの出力情報を監視する出力情報監視部をさらに備え、前記広告中継サーバは、前記移動端末機から前記出力情報を受信して前記広告実績の演算時に反映するのがより好ましい。
【００４６】
例えば、音媒体でなるモバイル広告物の場合、ユーザー毎に移動端末機の音量を別に設定したとき、周辺に及ぼす広告効果が異なるしかない。よって、前記のような構成を介し、広告中継サーバは移動端末機のユーザーが設定しておいた多様な端末機の環境を広告実績に反映することが可能である。
【００４７】
一方、本発明の第１〜第６側面に係るモバイル広告方法において、前記出力条件は、前記移動端末機が呼信号を着信する場合にすることができ、前記広告出力部を無出力状態に設定した場合でも、前記出力条件が満たされるときは前記モバイル広告物を外部に強制出力するように、前記移動端末機に対しオーバーライド(Override)機能を設定するオーバーライド設定ステップをさらに含むこともできる。
【００４８】
例えば、携帯電話にベルが鳴る場合に音型モバイル広告物を出力させるとしても、ユーザーが携帯電話をマナーモードに設定しておいた場合はモバイル広告物が出力できず、この場合、広告中継サーバは発生してもいない広告実績を認める過ちを犯すことがある。したがって、マナーモードの場合でも、ユーザーがモバイル広告を行なうことにした会員であれば強制にモバイル広告が行なわれるようにして、行なわれるべきモバイル広告が漏れることがないように保障するのが好ましい。
【００４９】
前述のような本発明の第１〜第６側面に係るモバイル広告方法は、モバイル広告用移動端末機とモバイル広告システムとしても具現することができる。
【００５０】
即ち、本発明に係るモバイル広告用移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する人数を測定することができる人数測定部と、前記モバイル広告物を広告主の端末機から収集して会員情報とともに管理する広告中継サーバと通信可能な無線送受信部と、前記保存部、広告出力部、人数測定部及び無線送受信部と接続して機器の全体的な制御を担当する制御部とを備え、前記制御部は、前記出力条件が満たされるとき、前記広告出力部を介し前記モバイル広告物を外部に出力し、前記人数測定部を利用して前記モバイル広告物が外部に出力されるとき、移動端末機の周辺の人数を測定し、前記無線送受信部を介し該測定値を前記広告中継サーバに送信することにより、前記広告中継サーバが前記測定された人数を受信し、これを加重値に換算して前記モバイル広告物を出力した会員別に広告実績を演算及び管理できるようにすることを特徴とする。
【００５１】
さらに、本発明によれば、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部と、前記モバイル広告物を広告主の端末機から収集して会員情報とともに管理する広告中継サーバと通信可能な無線送受信部と、前記保存部、広告出力部、ノイズ測定部及び無線送受信部と接続して機器の全体的な制御を担当する制御部とを備え、前記制御部は、前記出力条件が満たされるとき、前記広告出力部を介し前記モバイル広告物を外部に出力し、前記ノイズ測定部を利用して前記モバイル広告物が外部に出力されるとき、移動端末機の周辺のノイズを測定し、前記無線送受信部を介し該測定値を前記広告中継サーバに送信することにより、前記広告中継サーバが前記測定されたノイズを受信し、これを加重値に換算して前記モバイル広告物を出力した会員別に広告実績を演算及び管理できるようにすることを特徴とするモバイル広告用移動端末機を具現することも可能である。
【００５２】
本発明に係るモバイル広告システムは、味、匂い、音、映像またはこれらの組合せでなる媒体の何れか１つ以上からなるモバイル広告物を外部に出力することができる広告出力部を備えた移動端末機と、前記移動端末機の周辺の一定の範囲内に存在する人数、或いは匂い、音、映像またはこれらの組合せでなるノイズに対する設定情報を前記移動端末機の位置に沿って保存及び管理する支援サーバと、前記モバイル広告物を広告主の端末機から収集して会員情報とともに管理する広告中継サーバとを備えるモバイル広告システムにおいて、前記広告中継サーバは、前記移動端末機に前記モバイル広告物を送信して該送信内訳を管理し、前記送信されたモバイル広告物の出力条件を指定し、前記移動端末機は、前記出力条件が満たされるとき、前記広告出力部を介し前記モバイル広告物を外部に出力し、前記支援サーバは、前記モバイル広告物が出力された場合、前記移動端末機の位置に沿う前記設定情報を前記広告中継サーバに送信し、前記広告中継サーバは、前記設定情報を受信してこれを加重値に換算し、前記モバイル広告物を出力した会員別に広告実績を演算及び管理することを特徴とする。
【００５３】
味、匂い、音、映像またはこれらの組合せでなる媒体の何れか１つ以上からなるモバイル広告物を外部に出力することができる広告出力部を備えた移動端末機と、前記移動端末機の周辺の一定の範囲内に存在する人数を前記移動端末機の位置に沿って測定及び管理する支援サーバと、前記モバイル広告物を広告主の端末機から収集して会員情報とともに管理する広告中継サーバとを備えるモバイル広告システムにおいて、前記広告中継サーバは、前記移動端末機に前記モバイル広告物を送信して該送信内訳を管理し、前記送信されたモバイル広告物の出力条件を指定し、前記移動端末機は、前記出力条件が満たされるとき、前記広告出力部を介し前記モバイル広告物を外部に出力し、前記支援サーバは、前記モバイル広告物が出力された場合、前記移動端末機の位置に沿って測定された人数情報を前記広告中継サーバに送信し、前記広告中継サーバは、前記人数情報を受信してこれを加重値に換算し、前記モバイル広告物を出力した会員別に広告実績を演算及び管理することを特徴とするモバイル広告システムを具現することもできる。
【００５４】
さらに、本発明に係るモバイル広告用移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する人数を測定することができる人数測定部と、前記モバイル広告物を広告主の端末機から収集して会員情報とともに管理する広告中継サーバと通信可能な無線送受信部と、前記保存部、広告出力部、人数測定部及び無線送受信部と接続して機器の全体的な制御を担当する制御部とを備え、前記制御部は、前記人数測定部を介し周辺の人数を測定し、前記測定された人数が所定値を超えるのか否かを監視し、前記測定された人数が所定値を超える場合、前記広告中継サーバから前記モバイル広告物の強制送信を受けて、前記出力条件が満たされるとき、前記広告出力部を介し前記モバイル広告物を外部に出力し、前記広告中継サーバに該内訳を送信することにより、前記広告中継サーバが前記強制送信を許可した会員別に広告実績を演算及び管理できるようにすることを特徴とする。
【００５５】
この他にも、本発明に係る移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部と、前記モバイル広告物を広告主の端末機から収集して会員情報とともに管理する広告中継サーバと通信可能な無線送受信部と、前記保存部、広告出力部、ノイズ測定部及び無線送受信部と接続して機器の全体的な制御を担当する制御部とを備えることができる。
【００５６】
この場合、前記制御部は、前記ノイズ測定部を介し周辺のノイズを測定し、前記測定されたノイズが所定値を超えるのか否かを監視し、前記測定されたノイズが所定値を超える場合、前記広告中継サーバから前記モバイル広告物の強制送信を受けて、前記出力条件が満たされるとき、前記広告出力部を介し前記モバイル広告物を外部に出力して前記広告中継サーバに該内訳を送信することにより、前記広告中継サーバが前記強制送信を許可した会員別に広告実績を演算及び管理できるようにすることを特徴とするモバイル広告用移動端末機を具現することも可能である。
【００５７】
本発明に係る移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部及び／または人数測定部と、前記モバイル広告物を広告主の端末機から収集して会員情報とともに管理する広告中継サーバと通信可能な無線送受信部と、前記保存部、広告出力部、人数測定部、ノイズ測定部及び無線送受信部と接続して機器の全体的な制御を担当する制御部とを備えることもできる。ここで前記制御部は、 前記人数測定部を介して移動端末機の人数を測定し、さらに前記制御部は、ノイズ測定部を介して移動端末機周辺のノイズを測定する。この場合、移動端末機１００は人数を測定し移動端末機１００’と移動端末機１００’’を測定し、ここで移動端末機１００は移動端末機１００’と移動端末機１００’’の広告媒体を確認し、移動端末機１００は移動端末機１００’と移動端末機１００’’に広告媒体を強制送信することも、そうしないこともある。移動端末機１００が、移動端末機１００’と移動端末機１００’’が同一の広告媒体セットを有しているものと確認する場合、移動端末機１００、１００’及び１００’’の何れでもともに広告媒体を出力することができ、もし移動端末機１００が移動端末機１００’及び移動端末機１００’’とは異なる広告媒体を有すれば、その互いに異なる広告媒体は間隔を置くか組み合わせて集合的に行なわれ得る。なお、 前記出力条件が満たされるとき、前記広告出力部を介して前記モバイル広告物を外部に出力し、前記広告中継サーバにモバイル広告物の出力内訳を送信することにより、前記広告中継サーバが前記強制送信を許可した会員別に広告実績を演算及び管理することが可能である。
【００５８】
本発明に係る移動端末機はさらに、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部及び／または人数測定部と、前記モバイル広告物を広告主の端末機から収集して会員情報とともに管理する広告中継サーバと通信可能な無線送受信部と、前記保存部、広告出力部、人数測定部、ノイズ測定部及び無線送受信部と接続して機器の全体的な制御を担当する制御部とを備えることができる。ここで前記制御部は，前記人数測定部を介して移動端末機の人数を測定し、前記ノイズ測定部を介して移動端末機周辺のノイズを測定する。この場合、例えば移動端末機１００のユーザーＡが移動端末機１００’のユーザーＢと移動端末機１００’’のユーザーＣを人数の測定途中に感知し、定められたノイズ範囲内でユーザーＡにより出力されるモバイル広告にユーザーＢ及びユーザーＣがさらされていたものとして決められる。ユーザーＢとユーザーＣは、前記広告中継サーバに対するユーザーＡの人数測定データに記録され、ユーザーＡの広告データベース及びユーザーＢとユーザーＣの購買データベースを比較することにより、ユーザーＢとユーザーＣがユーザーＡにより出力された広告に基づいて製品を購買していたものと決められ得る。なお、前記出力条件が満たされるとき、前記広告出力部を介して前記モバイル広告物を外部に出力し、前記広告中継サーバにその内訳を送信することにより、前記広告中継サーバが前記強制送信を許可した会員別に広告実績を演算及び管理することが可能である。
【発明の効果】
【００５９】
本発明は移動端末機と広告中継サーバを利用したモバイル広告方法に関するものであって、移動端末機からモバイル広告が出力されるときは、その周辺の人数やノイズという多様な環境が時々刻々に変化するとの点を勘案したモバイル広告方法を提案している。
【００６０】
このように本発明は、移動端末機を利用した広告をモバイル広告として把握し、このモバイル広告が行なわれる状況が時々刻々に変化し得るとの点を勘案し、モバイル広告という特殊な状況に適した移動端末機を利用したモバイル広告方法を提供する。したがって、モバイル広告を行なう移動端末機のユーザーにとっては、適正に広告実績を評価して管理することが可能であり、これを介しユーザーだけでなく広告主のモバイル広告に対する参加度を高めることが可能である。
【図面の簡単な説明】
【００６１】
【図１】本発明に係るモバイル広告方法を行なうことができるモバイル広告用移動端末機の構成を示す図である。
【図２】本発明に係るモバイル広告システムを示す図である。
【図３】本発明に係るネットワーク型モバイル広告が行なわれる場合を示す図である。
【図４】本発明に係るモバイル広告方法の第１実施形態を示すフローチャートである。
【図５】本発明に係るモバイル広告方法の第２実施形態を示すフローチャートである。
【図６】本発明に係るモバイル広告方法の第３実施形態を示すフローチャートである。
【発明を実施するための形態】
【００６２】
以下、図を参照しながら、本発明の好ましい実施形態に対し詳しく説明する。
図１は、本発明に係るモバイル広告方法を行なうことができる移動端末機を示す図である。図２は、本発明に係るモバイル広告システムを示す図である。
【００６３】
先ず、図１に示されているように、本発明に係る移動端末機１００は全体的な機器制御を行なう制御部１１０を含み、制御部１１０は味、匂い、音、映像またはこれらの組合せでなる媒体を出力することができる広告出力部１２０と接続されている。例えば、本開示内容において「端末機」という用語は、ＰＣ、携帯電話、ＰＤＡ(Personal Digital Assistance)などのように、有線或いは無線通信技術を支援する如何なるタイプの端末も意味するものである。
【００６４】
本発明に係るモバイル広告物は、味、匂い、音、映像あるいはこれらの組合せで構成された媒体の形を取ることができ、モバイル広告物は図２に示した広告中継サーバ２００が広告主の端末機（図示省略）から受け付けて広告中継データベース２１０で保存及び管理することになる。さらに、移動端末機１００のユーザーが要請するか、広告中継サーバ２００側で任意に移動端末機１００の無線送受信部１５０を介しモバイル広告物に関するコンテンツを移動端末機１００に送信する場合は、それは移動端末機１００の保存部１７０でも保存及び管理される。ここで、広告中継データベース２１０は、モバイル広告だけでなくユーザー分析により得られた情報を含むこともできる点に注意する。即ち、広告中継サーバ２００は、広告中継データベース２１０に保存された分析されているユーザー情報に基づいてユーザーに対するモバイル広告を自動的にリンクするか推薦することが可能である。さらに、ユーザー分析には多様なモバイル広告に対するユーザーの好みの分析が含まれ得、これは広告中継サーバ２００をしてユーザーの好みの分析に基づいて特定のユーザーに好ましいモバイル広告を推薦させるのに役立ち得る。
【００６５】
一方、広告出力部１２０は、モバイル広告物の形態が如何なるかに従って構成が変化するが、音を出力するスピーカー、映像を出力するＬＣＤで構成でき、この他にも味覚や嗅覚を刺激することができる粒子の配合状態に関するデータに基づいて粒子を外部に排出することができる粒子出力機の形態にも構成できる。なお、広告出力部１２０の音や映像、或いは粒子の排出状態は、ユーザーの外部入力を受信する設定部１６０及び制御部１１０の制御を受ける。
【００６６】
広告出力部１２０がモバイル広告物を出力する場合、制御部１１０はモバイル広告物の出力レベル、出力回数及び出力時間のうち少なくとも１つの出力情報を監視しなければならず、このような出力情報に関する値等は広告中継サーバ２００に送信されて広告実績の演算時に反映される。制御部１１０が行なうこのような出力情報監視動作は、出力情報監視部(図示省略)として別個の構成で具現することも可能である。
【００６７】
次に、制御部１１０は人数測定部１３０とノイズ測定部１４０の動作も制御し、人数測定部１３０は赤外線通信手段のような近距離通信装置で構成できる。本発明において人数は、モバイル広告物にさらされる周辺の人達の数を意味し、一人当たり１つの移動端末機を保有するとの前提下で移動端末機の個数を人数として決めることが可能である。人数は、後述する広告実績の評価において肯定的な要因として作用する。
【００６８】
一方、ノイズ測定部１４０は、前記で説明した広告出力部１２０の場合と同様に、モバイル広告物の媒体の形態が如何なるのかに従って多様な形態に構成できる。例えば、モバイル広告物が音や映像であれば、ノイズ測定部１４０は外部の騷音を測定することができるマイク、或いは外部の光量を測定することができる光センサで構成可能であり、これは移動端末機の周辺の人達にオープンにされなければならないモバイル広告物の広告力を低下させる環境的な要素として評価するための要因である。
【００６９】
図２には、本発明の一実施形態に係るモバイル広告システム５００が示されている。広告中継サーバ２００は、前記で説明したように、広告主の端末機（図示省略）からモバイル広告物を受信し、広告中継データベース２１０を介しモバイル広告物及び会員情報を保存及び管理する構成である。広告中継サーバ２００は、ウェブサイトを提供し、これを介しモバイル広告に参加する会員を募集することもできる。
【００７０】
支援サーバ３００は、移動端末機１００の人数測定部１３０やノイズ測定部１４０が担当するモバイル広告環境の測定機能を代行するための構成であって、移動端末機１００の無線送受信部１５０を介し移動端末機１００の位置を追跡し、当該位置別に人数や周辺のノイズに関し予め値を設定して支援データベース３１０で管理するように構成されている。この他にも、支援サーバ３００は衛星４００との交信を介し移動端末機１００の位置と人数に関する情報を測定することも可能である。さらに、基地局（図示省略）、ＧＰＳ及び無線ネットワークの接続性を利用して移動端末機１００の位置を把握及び管理することができる。
【００７１】
図２では、広告中継サーバ２００と支援サーバ３００を物理的に別個の構成として示したが、モバイル広告事業を営む広告中継業者がこれらの２つのサーバを１つのサーバとして運営することも当然可能である。
【００７２】
一方、図３は移動端末機においてネットワーク型モバイル広告が行なわれる場合を示す図である。図４は、本発明の第１実施形態に係るモバイル広告方法を示すフローチャートである。図５は、本発明の第２実施形態に係るモバイル広告方法を示すフローチャートである。図６は、本発明の第３実施形態に係るモバイル広告方法を示すフローチャートである。
以下、図１〜図６を参照しながら、本発明のモバイル広告方法に関する好ましい実施形態を詳しく説明する。
【００７３】
＜第１実施形態＞
図４に示されているように、広告中継サーバ２００は、例えば自主的に運営するウェブサイトを介し広告主を募集する（ステップＳ１）。この場合、広告主の端末機（図示省略）は広告中継サーバ２００が運営するウェブサイトに広告主会員として加入し、モバイル広告に用いるモバイル広告物を登録すればいい。
【００７４】
次に、広告中継サーバ２００は、広告中継ウェブサイトを介しモバイル広告に参加する一般の会員を募集し、募集された会員にモバイル広告物を送信して設ける（ステップＳ２）。
ここで一般の会員とは、移動端末機１００、１００’、１００’’を保有した者であって、広告中継サーバ２００からダウンロードしたモバイル広告物を所定の条件に従って出力することにより、広告代行者としての役割を果たす者を意味する。モバイル広告物の送信及び設置は、移動端末機１００のユーザーの要請によるＰＵＬＬ形態で行なわれてもよく、モバイル広告物の簡便な設置とアップデートのため、ユーザーの要請がなくとも広告中継サーバ２００が移動端末機１００にモバイル広告物を送信するＰＵＳＨ形態で行なわれてもよい。
【００７５】
移動端末機１００の保存部１７０にモバイル広告物が設けられると、移動端末機１００の制御部１１０は広告中継サーバ２００と会員との間に定められた広告条件が満たされるのか否かを確認する（ステップＳ３）。ここで広告条件とは、例えば携帯電話が呼信号を着信する場合にモバイル広告物に伴う広告着信音や映像広告物を出力させるなどのモバイル広告物出力条件を意味し、具体的な内容は広告中継サーバ２００が予め設定しておくこともできるが、広告中継サーバ２００と移動端末機１００のユーザー（会員）との間の協議により定められることもある。広告条件に関するデータは、移動端末機１００の保存部１７０及び広告中継サーバ２００の広告中継データベース２１０で保存及び管理される。
【００７６】
広告条件が満たされなければ（ステップＳ３で「ＮＯ」の場合）、ステップＳ２に戻って広告条件が満たされるのを待機する状態となり、広告条件が満たされる場合は（ステップＳ３で「ＹＥＳ」の場合）、ステップＳ４に進んでモバイル広告を行なう。モバイル広告の実行は、前記で説明したように、制御部１１０と広告出力部１４０を介し行なわれ、音や映像広告の場合は、制御部１１０が保存部１７０に保存されている音源や映像物を広告出力部１４０にローディングし、Ｄ／Ａ変換手段を介し外部に音や映像を出力することになる。さらに、匂いや味に関わる広告の場合は、広告出力部１４０が人の触覚や味覚を刺激する粒子を種類別に盛り込んでおいた状態で、制御部１１０の指示に合わせて各粒子別に出力開閉の可否を決め、粒子の組合せを移動端末機１００の外部に出力すればいい。勿論、このような味、匂い、音及び映像の形態でなる広告物は、味と匂い、味と音、音と映像などの形態に組合せが可能であり、このような組み合わせ合物は、広告にさらされる周辺の人達に特定の製品や広告主を関連付けるようにすることができる広告物としての性格を有する。
【００７７】
モバイル広告が行なわれると、移動端末機１００側では人数測定部１３０を利用して周辺人数を測定し（ステップＳ５）、ノイズ測定部１４０を利用して移動端末機１００の周辺のノイズを測定する（ステップＳ６）。図４では、ステップＳ５とステップＳ６が同時に行なわれるものと示したが、モバイル広告が行なわれたあと人数のみ測定するかノイズのみ測定しても構わず、人数とノイズを同時に測定するか順次測定しても構わない。第１実施形態は、行なわれたモバイル広告物の広告効果の評価において、移動端末機１００が測定した人数値やノイズ値を考慮する方式を取っているので、ステップＳ５やステップＳ６の実行はモバイル広告物の媒体の形態に合わせて行なわれなければならないとの点に留意すべきである。
【００７８】
ステップＳ５とステップＳ６が同時にまたは順次行なわれる場合は、ノイズ測定を先ず行ない、該測定されたノイズのレベルに従って人数を測定する範囲を差別的に決めるのが好ましい。
【００７９】
例えば、人数を測定するデフォルト範囲が１０ｍの場合、移動端末機の現在位置の周辺が汚物などで甚だしい悪臭があるものとノイズが測定されたのであれば、匂いや味に関わる広告物にさらされた周辺の人達が実際には匂いや味を感じることができないはずなので、０．５ｍ半径以内にいる人達に対してのみ広告効果を認めて赤外線通信手段で周辺人数を測定させることができる。参考までに、人数を測定する「一定の範囲」は必ず円形の形態である必要はない。一定の範囲は平面的でも、立体的でもあり得、例えば赤外線信号を通過させ得ない壁が存在する場合は、任意の四角形の形態を取ることもある。モバイル広告が行なわれる移動端末機１００といくら近くに人がいても、移動端末機１００のユーザーの間に壁が存在して音や匂い、映像に関する広告物が見られない状況であれば、ステップＳ５において人数としてカウントされないはずである。
【００８０】
但し、近距離通信手段として赤外線でなく無線周波数(RF:Radio Frequency)を利用する場合であれば、移動端末機１００のユーザーと他の移動端末機のユーザーとの間に壁のような障害物が存在するとしても、移動端末機間の交信が可能なので人数をカウントすることができる。
【００８１】
次に、モバイル広告が行なわれる時の移動端末機周辺の人数とノイズが測定されたあと、制御部１１０はその値を無線送受信部１５０を介し広告中継サーバ２００に送信し、広告中継サーバ２００は人数とノイズの測定値を加重値に換算して広告実績を演算及び管理する（ステップＳ７）。
【００８２】
例えば、一回の音形態のモバイル広告の実行ごとに１００点を与えるようにした場合、赤外線通信装置でなる人数測定部１３０が基準値の１０人よりも５人が多い１５人を測定し、ノイズ測定部１４０が基準値である１０ｄＢの２倍である２０ｄＢを測定したのであれば、広告実績は１００＊１．５（人数測定値の反映分）＊０．５（ノイズ測定値の反映分）＝７５点に演算されるように構成することができる。
【００８３】
なお、この７５点という広告実績は広告中継データベース２１０で会員別に管理され、後で広告中継サーバ２００が広告実績に従って会員に通信料の割引き、電子クーポンの発行、電子ポイントの積立或いは謝恩品の支給の形態で補償する場合に用いられる。
ステップＳ７において、広告中継サーバ２００はモバイル広告物が行なわれた視覚情報を確認し、モバイル広告物が出力される時間帯別の加重値を与えて広告実績を演算することも可能である。
【００８４】
例えば、移動端末機１００のユーザーに対し、明け方４時には広告用匂いが出力されても加重値０．０を乗算して広告実績として認めないようにし、サラリーマンのユーザーが仕事で多忙な頃の午後２時には、広告用匂いが出力されるとき加重値１．１を乗算させることができるはずである。
【００８５】
一方、図４には示していないが、ステップＳ４からステップＳ７へ進む過程で、移動端末機１００の制御部１１０或いは出力情報監視部（図示省略）が広告出力部１２０により出力されるモバイル広告物の出力回数、出力レベル、出力時間などの広告出力情報を収集して広告中継サーバ２００に送信し、広告中継サーバ２００では受信された広告出力情報に基づき広告実績を演算することが可能である。
【００８６】
例えば、音形態のモバイル広告物が音量２０で１０秒出力されることに対しそれぞれデフォルト加重値の１．０を適用する場合、もしモバイル広告に関する音が音量４０で２０秒出力されるのであれば、２．０＊２．０の加重値である４．０の加重値を反映して広告実績を演算することが可能である。
【００８７】
この他にも、図４には示していないが、ステップＳ４及びステップＳ７では、現実的に次のような問題が発生し得る。即ち、例えばモバイル広告物が移動端末機１００の広告出力部１２０を介し発射されるレーザ形態の視覚型広告物（いわば、映像広告物）の場合、ユーザーが設定部１６０を介し電話ベルが鳴ってもレーザが発射されないように設定したのであれば、電話ベルという広告条件が満たされたにもかかわらずステップＳ４が行なわれない状況が発生し得る。
【００８８】
このような状況に備え、広告中継サーバ２００が移動端末機１００にモバイル広告物を送信するステップＳ２で、移動端末機１００の制御部１１０にオーバーライド機能を植え込んでおくのが好ましい。オーバーライド機能は、移動端末機のユーザーが任意に機器の動作状態を調節しても、一定の条件が充足されると、ユーザー設定を無視して或る動作を強制に行なうか行なわないようにする機能を言うが、このようなオーバーライド機能を本発明に係るモバイル広告方法のステップＳ４に適用することにより、モバイル広告が確かに行なわれるようにすることができる。逆に、オーバーライド機能により、モバイル広告が出力されないようになる場合でないときにのみステップＳ４が行なわれるように構成することも可能なはずである。
【００８９】
一方、移動端末機１００の人数測定部１３０が近距離通信手段を含む場合、ステップＳ４はネットワーク型広告実行ステップをさらに含むのが好ましい。ネットワーク型広告は、図３に示されているように、モバイル広告物を出力する移動端末機１００の一定の範囲（半径Ａ）に存在する他の移動端末機１００’が、現在出力されているモバイル広告物と同じモバイル広告物を設けておいた状態であると近距離通信手段１３０が把握したときは、広告条件が未だ満たされていない他の移動端末機１００’からも同じモバイル広告物が出力されるようにする広告方式を言う。
【００９０】
このようなネットワーク型モバイル広告はモバイル広告の広告範囲を最大化するための技法であって、移動端末機１００’が再度半径Ｂに属するさらに他の移動端末機１００’’に対し広告が行なわれるようにする連鎖的な形態のモバイル広告を行なうように構成することも可能であり、この場合、移動端末機１００のモバイル広告効果は半径Ａ＋Ｂを超える範囲に対してまでも及ぶことになり、移動端末機１００のユーザーとしては一回のモバイル広告で通常よりさらに多い広告実績を得ることができるようになる。
【００９１】
前記ネットワーク型広告が、端末機１００及び１００’において互いに異なる２つの広告を用いる場合も可能である。例えば、端末機１００及び１００’は、音楽を構成する互いに異なる音調を演奏するか、互いに異なる色のレーザを発射して１つのイメージをともに形成することができる。
【００９２】
＜第２実施形態＞
図５は、本発明の第２実施形態に係るモバイル広告方法を示している。
本発明の第２実施形態は、第１実施形態と比べるとき、ステップＳ’５〜ステップＳ’７でのみ相違するので、ステップＳ’１〜ステップＳ’４に対する説明はこれに対応する第１実施形態のステップＳ１〜ステップＳ４に対する説明でそれぞれ代替するようにする。
【００９３】
本発明の第２実施形態では、モバイル広告が行なわれた（ステップＳ’４）あと、モバイル広告が行なわれた周辺の環境的な要素等を移動端末機１００側で測定するのではなく、支援サーバ３００により測定するか、設定された人数値とノイズ値により広告実績を演算するように構成されている。
【００９４】
ステップＳ’５は支援サーバ３００が人数を測定するステップであって、支援サーバ３００は広告中継サーバ２００が広告実績に人数を加重値として反映できるようステップＳ’４を行なった移動端末機の周辺人数を測定する。移動端末機１００の無線送受信部１５０がＧＰＳを含む場合であれば、衛星４００により移動端末機１００の分布状況が監視可能なので、支援サーバ３００はＧＰＳ手段（図示省略）を介し衛星４００と交信し、移動端末機１００の周辺の一定の範囲に存在する人数を測定することができる。さらに、支援サーバ３００が基地局（図示省略）を含むのであれば、基地局（図示省略）で把握している移動端末機１００の位置情報と人数情報を利用し、ステップＳ’４を行なった移動端末機周辺の人数を支援サーバ３００が測定可能である。人数は、ステップＳ’６に記載されているように、支援サーバ３００で予め地域別に人数値を設定しておき、ステップＳ’４を行なった移動端末機１００の現在位置と人数値をマッチングさせてその値を広告中継サーバ２００に送信するように構成してもよい。
【００９５】
例えば、済州島の周辺人数はデフォルト値として１０を設定しておき、ソウルの周辺人数はデフォルト値として１００を設定することにより、ソウルでモバイル広告を行なった会員に対しては、済州島でモバイル広告を行なった会員に比べて１０倍の加重値が与えられるように構成することができる。
【００９６】
ステップＳ’６で支援サーバ３００は、人数以外に移動端末機１００周辺のノイズ値も地域別に予め設定しておくことができる。例えば、ソウル・京畿地域の平均ノイズ値を１００に設定した場合、空港が位置している金浦地域のノイズ値は１５０に設定することにより、金浦地域でモバイル広告を行なう会員に対してはその他の京畿地域の場合より２／３の加重値のみ与えられるようにすることができる。
【００９７】
図５では、ステップＳ’５とステップＳ’６が同時に行なわれるものと示したが、ステップＳ’５とステップＳ’６は択一的に行なわれてもよく、同時に或いは順次全て行なわれてもよい。
ステップＳ’７では、広告中継サーバ２００が移動端末機１００からモバイル広告の実行通知を受け、支援サーバ３００から人数やノイズの測定値或いは設定値を受信し、広告実績を演算して管理する。勿論、ステップＳ７の場合と同様に、広告実績に従い会員に所定の補償を行なう補償ステップをさらに含むのが、モバイル広告の活性化のため好ましい。
【００９８】
＜第３実施形態＞
図６は、本発明の第３実施形態に係るモバイル広告方法を示している。
先ず、ステップＳ”１で広告中継サーバ２００は、ウェブサイトを利用して広告主を募集し、モバイル広告物を確保して広告中継データベース２１０に保存及び管理する。次に、ステップＳ”２で広告中継サーバ２００は、例えば広告中継ウェブサイトを利用してモバイル広告に参加する移動端末機ユーザーを会員として募集するが、このとき、ステップＳ２やＳ’２とは異なり、モバイル広告物を移動端末機１００に送信するか設置しない。
【００９９】
次に、モバイル広告会員の移動端末機１００の制御部１１０は、広告中継サーバ２００から受信した指示に基づき人数測定部１３０やノイズ測定部１４０を駆動させ、移動端末機１００の周辺人数や周辺ノイズを持続的に測定及び監視する（ステップＳ”３）。もし移動端末機１００の周辺人数が所定値より大きいか、それとも周辺ノイズが所定値より小さい場合は（ステップＳ”３で「ＹＥＳ」の場合）、ステップＳ”５へ進んで広告中継サーバ２００が移動端末機１００にモバイル広告物を送信及び設置する。
【０１００】
即ち、本発明の第３実施形態では、モバイル広告会員として加入しても、モバイル広告物を直ちに設けるものではなく、モバイル広告物を移動端末機１００に設けてもよいほどモバイル広告環境が良好であると認められるときにのみモバイル広告物を移動端末機１００に送信させることにより、移動端末機１００のメモリ資源を節約できるようにしている。
【０１０１】
移動端末機１００にモバイル広告物が設けられたあとは、ステップＳ”６へ進んで移動端末機１００の制御部１１０が所定の広告条件が満たされるのか否かを確認し、所定の広告条件が満たされれば（ステップＳ”６で「ＹＥＳ」の場合）、モバイル広告を行なって（ステップＳ”７）広告中継サーバ２００で広告実績を演算及び管理する（ステップＳ”８）。参考までに、ステップＳ”６はステップＳ”３とステップＳ”４の間で行なわれ得る。
【０１０２】
当業者には、本発明の精神や範囲を超えずとも本発明において多様な変更や改造が行なわれ得るとの点が明らかなはずである。
例えば、本発明の図２は、広告中継サーバ２００と支援サーバ３００が物理的に別に具現されている場合のみを扱っているが、本発明において複数のサーバやデータベースは物理的に別個の形態や、物理的に統合された形態で具現可能である。
【０１０３】
さらに、本発明はＳＭＳ(Short Messaging Service)を利用して適用されてもよい。即ち、もしユーザーが無線インターネット通信を用いることができなければ、該ユーザーは本開示内容で提供された広告アイディアに従って行なわれる自分の広告活動を広告中継サーバ２００に報知するためＳＭＳメッセージを送信することができる。この場合、例えば広告中継サーバ２００は移動通信サービスの利用料を低減させることにより、本発明の広告活動に参加するためＳＭＳメッセージを送信していたユーザーに補償することが可能である。
【０１０４】
本発明において端末機は、有線及び無線通信端末機を全て含むので、有線通信端末機と本発明に係るモバイル広告方法を結合することも可能である。例えば、携帯電話のユーザーがＰＣ店やＴＶ展示場を通り過ぎ、携帯電話がイメージタイプや動画タイプの広告を受信する場合、当該広告は単にその携帯電話自体上でのみ行なわれるのではなく、前述のネットワーク型広告の拡張を介し、該携帯電話のユーザーのすぐ近くのＰＣやＴＶのような有線通信端末機上でも広告が行なわれ得る。移動端末機１００は、ネットワーク型広告のためＰＣ １００’やＴＶ １００’’端末機に広告メッセージを送信することができる。このような広告コンセプトは、本発明に係るモバイル広告方法と結合された屋外広告に適用され得る。この場合、ビルに設けられたデジタル屋外スクリーンは、当該ビル周辺の移動端末機のユーザーにより伝達されたモバイル広告の出力に用いられ得る。
【０１０５】
それだけでなく、本発明に係るモバイル広告方法の実施により得られる広告成果が、固定された報酬率により演算されなければならないものではないとの点に注意する。例えば、移動端末機１００のユーザーＡがピザ広告を行ない、他の移動端末機のユーザーＢが該ピザ広告に浴しただけでなく、当該ピザ製品を購買していたものとも監視された場合を仮定すれば、これは例えば、ユーザーＢの購買データベースとユーザーＡのさらされた人数データベースとを比較することにより確認できる事柄であって、この場合、ユーザーＡは単なる露出よりさらに大きい広告成果を出したものと認められ、さらに多い広告補償を提供され得る。このような場合、ユーザーＢもまた本発明に基づいた広告活動に参加したことに対する広告補償を得ることができる。参照までに、ユーザーＢがユーザーＡの広告により当該ピザ店に行ったのか否かが分かるための方法には、広告中継サーバがユーザーＡの広告時間とユーザーＢの購買時間とをクレジットカード情報などの決済情報に基づいて確認し、ユーザーＡの広告活動とユーザーＢの購買活動との間の時間差が所定の時間値の範囲に属する場合にのみ、ユーザーＡに対して増加した広告成果を認める形の方法が含まれ得る。
【０１０６】
したがって、本発明は前述のような本発明に対する変更と改造が、特許請求の範囲や該等価物の範囲内に属する限り、これを含むものとして意図されたのである。
【図１】
2010532515.tif 000003
【図２】
2010532515.tif 000004
【図３】
2010532515.tif 000005
【図４】
2010532515.tif 000006
【図５】
2010532515.tif 000007
【図６】
2010532515.tif 000008
【手続補正書】
【提出日】平成21年4月1日(2009.4.1)
【手続補正１】
【補正対象書類名】明細書
【補正対象項目名】全文
【補正方法】変更
【補正の内容】
【発明の詳細な説明】
【技術分野】
【０００１】
本発明は、移動端末機を利用したモバイル広告方法、並びにこれを実施可能なモバイル広告用移動端末機及びモバイル広告システムに関し、より詳しくは、移動端末機を利用してモバイル広告物を外部に出力する場合、広告中継サーバがモバイル広告による広告実績を会員別に信頼度よく把握することができる移動端末機を利用したモバイル広告方法、並びにこれを実施可能なモバイル広告用移動端末機及びモバイル広告システムに関する。
【背景技術】
【０００２】
最近、携帯電話、ＰＤＡ、ノートパソコンなどのような移動端末機は、単に移動通信や無線インターネットのような通信手段としてのみ機能するものではなく、カメラ、ゲーム及びナビゲーションのように通信以外の多様な手段としても開発されている。
【０００３】
このような移動端末機の機能多様化は、マルチメディア技術の発展とも密接に関連している。例えば、移動端末機は内装タイマーを備えてアラーム時計として機能するのは勿論のこと、高画質の映像と高音質の音源を出力することにより、モバイル映像機器乃至モバイル音源プレーヤーにも使用可能である。また、ＧＰＳを搭載して車両及び歩行者用位置案内手段としての使用も可能であり、さらには、香りを発散することによりストレスセラピー(Stress Therapy)の用途にも使用可能である。
【０００４】
移動端末機を介し香りを発散する技術と関連しては韓国公開特許第２００６−７１２５号を挙げることができ、この技術はデータの送信を処理する２つのＰＡＭの間と該ＰＡＭの付近に香り発生素子を設け、ＰＡＭから発生する熱を利用して香りを発散する移動端末機を提案している。特に、温度に伴い香りやその濃度が異なるよう発散することができる。交換可能な香り用カートリッジを用いるこの移動端末機は、該端末機のユーザーにストレスの解消を提供するため香りを発散する。
【０００５】
移動端末機の機能がこのように多様化されマルチメディアとしての機能が強力になるに伴い、移動端末機を介し出力される音や映像をモバイル広告手段に活用するアイディアも提案されている。移動端末機をモバイル広告手段として活用する例には、携帯電話やＰＤＡの待受画面、着信音または呼出音などを広告手段として活用するマーケティング技法を挙げることができる。
【０００６】
広告サービスを提供する移動通信サーバ及び前記サーバの運用方法に関する韓国公開特許第２００７−１８２９６号（以下、「特許文献１」と記す)は移動端末機を利用した広告技術である。特許文献１によれば、広告サービス加入者の移動通信端末機にサービス制御メッセージ及び広告コンテンツを送信し、サービス制御メッセージを通じて所定の期間のあいだ広告コンテンツが移動通信端末機を介して持続的に行なわれるように制御することにより、移動通信端末機のユーザーが広告コンテンツの実行を介し料金減免の提供を受け、移動通信事業者は広告効果を最大化するアイディアが提供される。
【０００７】
特許文献１に係る広告サービス提供方法を具体的に検討してみれば、前記広告サービスの加入者に対する加入者情報及び前記加入者情報に対応するサービス情報が記録された加入者データベースを維持するステップと、１つ以上の広告コンテンツが記録されたコンテンツデータベースを維持するステップと、前記加入者データベースから所定のサービス情報を抽出し、前記抽出したサービス情報を含むサービス制御メッセージを生成するステップと、前記サービス制御メッセージを前記サービス情報に対応する加入者の移動通信端末機に送信して前記移動通信端末機の機能設定を制御するステップと、前記コンテンツデータベースから所定の広告コンテンツを抽出し、前記移動通信端末機に送信するステップとを含み、前記サービス制御メッセージは前記広告コンテンツが前記広告サービス有効期間情報による期間のあいだ、前記移動通信端末機で持続的に行なわれるように前記移動通信端末機の機能設定を制御し、前記移動通信端末機では、前記移動通信サーバから前記サービス制御メッセージ及び前記広告コンテンツを受信して所定のメモリ手段に記録するステップと、前記サービス制御メッセージに含まれたサービス情報を判読して広告サービス有効期間情報による有効期間が満了する時点まで、前記広告コンテンツが引き続き行なわれるように制御するステップと、ユーザーから前記広告コンテンツ実行の変更命令を受信するステップと、前記メモリ手段に記録された前記サービス制御メッセージに含まれたサービス情報から前記広告サービス有効期間情報を判読するステップと、前記判読の結果、前記有効期間が満了していない場合、前記広告コンテンツ実行の変更不可に対するメッセージを前記ユーザーにディスプレイするステップと、前記サービス情報の判読の結果、前記有効期間が満了した場合、前記広告コンテンツの実行を終了するステップとを含む動作が行なわれることを特徴としている。
【０００８】
このように、特許文献１は移動通信端末機の待受画面、着信音または呼出音などを広告コンテンツに活用する技術を提案している。音以外にも、最近の移動端末機が有するマルチメディア機能を活用する技術が韓国公開特許第２００１−１１２７９５号（以下、「特許文献２」と記す)に提示されている。
【０００９】
特許文献２に係るマルチメディア端末機は、音声、データ及び映像などのマルチメディアデータを送受信する送受信装置と、公衆電話網、移動通信網、インターネット網及び衛星通信網と有線または無線で繋がれた交換局や基地局を介し、有線または無線でマルチメディアデータを送受信して各種のデータを処理するデータ処理手段を含むマルチメディア端末機において、音声、データ及び映像などの各種のデータを入力する入力手段と、前記入力手段を利用して前記交換局や基地局に設けられたコンピューターの記憶装置に保存された音声、データ及び映像などのマルチメディア広告、または前記マルチメディア端末機の記憶手段に保存されたマルチメディア広告の再生を設定する広告設定手段と、前記マルチメディア端末機の状態が待受け、発信または着信、通話状態なのかを検出する状態検出手段と、前記マルチメディア広告を出力する出力手段とを備え、前記状態検出手段で検出された状態に応じて前記マルチメディア広告を待受広告、発信または着信広告、通話広告の何れか1つの形態で前記出力手段を介し再生することを特徴とする。
【００１０】
このような特許文献２に係るマルチメディア端末機は、通信利用者に聴覚及び視覚的に広告することができるとの効果がある。
【００１１】
その他にも、無線端末機を利用した広告／広報目標顧客の選択方法に関する韓国公開特許第２００２−７５１１７号（以下、「特許文献３」と記す）は、無線端末機を利用した広告／広報目標顧客の選択方法を提案している。特に、特許文献３は無線端末機を携帯した状態で移動中の可能性が高い人や、特定地域に一定時間滞留し、且つ、無線端末機を介し送信される広告メッセージに直接反応する確率の高い人だけを選別抽出し、彼等だけを対象に個別会社が依頼した広告メッセージを送信することにより無分別な広告メッセージの氾濫が予防されるようにするとともに、選別的広告メッセージの送信に伴い顧客の信頼感を向上させることができるアイディアを提供する。ひいては、特許文献３は個別会社が希望する目標、即ち選別過程により抽出された顧客のみを対象にして選択的な広告メッセージを送信させるので、最大化された広告効果とともに広告費用の低減の効果を期待することもできるビジネスモデルを提示している。
【００１２】
このように、移動端末機が有する多様なマルチメディア機能を広告に活用するためのアイディアは数多く提示されてきた。しかし、これらの従来の技術には次のような限界がある。
【００１３】
先ず、特許文献１及び特許文献２のような従来の技術は、移動端末機を利用した広告がモバイル広告であるとの点に対しては着目されていないが、ここでモバイル広告とは、移動端末機のマルチメディア機能を活用して当該移動端末機のユーザーの周辺環境にある人々に広告効果を伝播することを言う。この周辺環境は、位置、時間及びその他のパラメータに基づいて変化するものであって、本発明はこれに対する計測法を提案しようとする。「モバイル」との用語を解釈する範囲は、本発明の理解に役立ち得る。即ち、特許文献１で言及した待受画面や着信音を利用した広告は、単に移動端末機のユーザー自分だけが視聴する画面でなく、ユーザーが移動端末機を用いるとすれば何処でも他人にオープンにされ得る性質のマルチメディアである。したがって、それは、移動する電光掲示板やＴＶのような広告露出手段として使用可能なものである。
【００１４】
さらに、特許文献２の場合も、待受け、発信及び着信型広告として移動端末機を利用したマルチメディア広告を細分化しているが、さらにはこれらの広告が露出される周辺状況に従いモバイル広告として機能することができるとの点に対しては着目されていない。前記のような限界により、特許文献１と特許文献２は全て移動端末機から出力されるマルチメディア広告が露出される周辺の状況に従って広告成果を別に評価しなければならないとの点を認識していない。
【００１５】
特許文献１のように、自社の広告音楽を着信音広告に設定して広告成果を発生させた移動端末機のユーザーに料金割引などの恩恵を提供する場合、料金割引額を支払わなければならない広告主の立場では自分の広告物が実際にどれほどの広告成果を出したのか分からない。これは特許文献２の場合にも同様であって、広告主が、移動端末機を利用した広告成果の把握ができないので、広告成果に伴う恩恵の程度の判断も困難であり、且つ、ユーザーにより広告成果が異なり得るとの点を恩恵に反映できないので、ユーザーの広告参加度を向上させることができないとの問題がある。
【００１６】
特に、匂いのように、特許文献１，２で全く予想できなかった媒体を広告手段に活用する場合、匂い広告が周辺にどれほどの広告成果を出すことができるのかを判定することが、広告費を支払わなければならない広告主の立場では非常に重要な事案であるにもかかわらず、特許文献１，２はこれを解決することができる方案を提示しておらず、これはモバイル映像広告やモバイル音広告を利用する場合も同様である。
【００１７】
さらに、特許文献３は、移動端末機で広告が行なわれる場合には移動端末機ユーザーの移動性が考慮されなければならないとの点を勘案してはいる。しかし、特許文献３で取り扱う広告メッセージは、広告を受信する移動端末機のユーザー自身にのみ限られた広告物なので、特許文献３は前記で検討してみたようなモバイル広告の概念自体を取り扱うことができない限界がある。これは特許文献１，２の場合も同様である。特許文献１乃至特許文献３の何れも、移動端末機で行なわれるモバイル広告が有する特殊性を勘案して広告が行なわれなければならないとの点に対しては具体的に取り扱っておらず、モバイル広告の特殊性に適した具体的な広告方法の提案もしていない。
【先行技術文献】
【特許文献】
【００１８】
【特許文献１】韓国公開特許第２００７−１８２９６号
【特許文献２】韓国公開特許第２００１−１１２７９５号
【特許文献３】韓国公開特許第２００２−７５１１７号
【発明の概要】
【発明が解決しようとする課題】
【００１９】
本発明は、前述のような従来の技術の問題点に鑑みてなされたものであり、移動端末機を利用した広告をモバイル広告として把握し、このモバイル広告が行なわれる状況が時々刻々に変化し得るとの点を考慮している。本発明の目的は、正確なモバイル広告の計測のための方法、装置及びシステムを提供することにより、モバイル広告という特殊な状況に適した移動端末機を利用したモバイル広告方法を提供することにある。さらに、前述のようなモバイル広告方法を具現することができるモバイル広告用移動端末機とモバイル広告システムを提供することをさらに他の目的とする。
【課題を解決するための手段】
【００２０】
本発明の第１側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記人数測定部を利用して前記モバイル広告物が外部に出力されるとき、移動端末機の周辺の人数を測定する人数測定ステップと、前記広告中継サーバが前記測定された人数を受信し、これを加重値に換算して、前記広告実行ステップが行なわれた会員別に広告実績を演算及び管理する広告実績管理ステップとを含むことを特徴とする。
【００２１】
即ち、本発明は先ず、時々刻々に変化するモバイル広告環境として周辺人数を考慮しており、このモバイル広告環境とは、広告出力部に対する出力条件が満たされた以後或いは以前に測定可能であり、このような点は周辺環境の人数が広告出力のための条件を決められ得ることを意味する。移動端末機を介し匂いや音、映像などの媒体からなるモバイル広告物が出力されるとき、そのような広告物にさらされる人数が多ければ多いほどさらに大きい広告実績を認めるのが妥当なので、本発明は人数測定部を備えた移動端末機からモバイル広告物が出力される時の周辺人数を把握し、これを広告中継サーバに送信して広告中継サーバが広告実績を管理するのにおいて加重値として反映させるアイディアを提案したのである。
【００２２】
本発明の第１側面に係るモバイル広告方法において、前記移動端末機は、周辺の一定の範囲内に存在する匂い、音、映像またはこれらの組合せでなるノイズを測定することができるノイズ測定部をさらに備え、前記ノイズ測定部を利用して前記モバイル広告物が外部に出力されるとき、移動端末機の周辺のノイズを測定するノイズ測定ステップをさらに含むことができ、この動作は出力条件が満たされる以前或いは以後に発生することがあり、前記広告中継サーバは、前記移動端末機から前記測定された人数以外に前記測定されたノイズもともに受信してこれを加重値に換算するのが好ましい。
【００２３】
これは時々刻々に変化するモバイル広告環境として人数以外に周辺のノイズまで勘案する構成であって、モバイル広告が行なわれるとき、周辺に如何に多い人がいてもモバイル広告と関連する音、映像、匂いなどを周辺のノイズにより区別することができない状況であれば、これを広告実績の評価において否定的な要素として考慮させている。換言すれば、本発明は視覚、聴覚、嗅覚、味覚など人の感覚を刺激して媒体の広告効果を希薄化し低下させ得る外部の環境をノイズと見做し、これをモバイル広告の実績評価に反映させている。ここで、周辺のノイズを測定する手段はモバイル広告の媒体類型に応じて異なり得る。モバイル広告物が音媒体の形態を取る場合であれば、移動端末機のノイズ測定部は周辺の騷音を測定することができるマイクになるはずである。モバイル広告物が映像媒体の場合であれば、ノイズ測定部は移動端末機の周辺の光量を測定する光センサであるのが好ましいはずである。匂いや味の形態を取るモバイル広告物に対してもノイズ測定部がそれに合わせて、例えばオルファクトメータ法(Olfactometry)等で構成されなければならない。
【００２４】
さらに、本発明の第１側面に係るモバイル広告方法の場合、前記人数測定部が人数を測定する前記一定の範囲は、前記ノイズ測定部で測定されたノイズのレベルに応じて差別的に設定されるのがより好ましい。
【００２５】
即ち、移動端末機の周辺人数と周辺ノイズを同時に考慮する場合は、移動端末機が測定した周辺ノイズのレベルに従ってモバイル広告物の広告力が及ぶ範囲に制限を加え、該制限範囲内で人数を測定させることにより、より正確な広告実績管理を可能にする。例えば、モバイル広告物が出力されるとき、周辺人数を測定する一定の範囲のデフォルト値を１０ｍに設定しても、周辺の騷音が大き過ぎて１０ｍの距離に位置する人にはモバイル広告物の音が聞こえない場合もあり得るので、周辺のノイズに従って差別的に範囲設定をして人数を測定することは、モバイル広告物が出力される時の広告実績を精緻に把握できるようにする。なお、ノイズのレベルは視覚、聴覚、嗅覚、味覚やこれらの組合せをデジタル化して測定することができる公知の測定技法をもって表現すればよい。
【００２６】
一方、本発明の第１側面に係るモバイル広告方法において、前記人数測定部は、前記一定の範囲内に存在する他の移動端末機と交信することができる近距離通信手段を含み、前記人数は前記近距離通信手段により測定された他の移動端末機の個数として定義されるのが好ましい。端末機等の間の通信範囲は常識の水準から必要に応じて予想可能なデータの交換にまで至ることができる。さらに、ここで前記近距離通信手段は、赤外線通信により移動端末機の個数を把握することができる赤外線通信手段を含む。前記移動端末機は、前記一定の範囲内に存在するとしても前記赤外線通信手段との交信が不能な状態にある他の移動端末機は、人数としてカウントしないのがさらに好ましい。
【００２７】
これは現在普及している移動端末機に赤外線通信装置のような近距離通信手段が取り付けられる場合が多いとの点を勘案した構成であって、近距離通信手段を利用すれば、近距離にある移動端末機間の交信が可能であるとの点を利用して人数を測定し、これを広告実績に加重値として反映させたものである。但し、近距離通信手段が赤外線方式の通信をする場合は、赤外線が通過できない障害物が塞いでいる人の移動端末機とは交信が不能なので、この場合は、たとえ近くの位置に存在する移動端末機であるとしても広告効果を認めないようにするのが好ましいはずである。
【００２８】
一方、前記近距離通信手段は、無線電波を交信して移動端末機の個数を把握することができる無線通信手段を含むように構成することができる。赤外線方式の通信を利用する場合は、壁のような障害物のあるとき移動端末機の個数の把握が困難なので、無線周波数を利用することにより移動端末機の周辺に存在する他の移動端末機の個数を正確に把握することが可能である。
【００２９】
本発明の第１側面に係るモバイル広告方法は、ネットワーク型広告方法としての拡張が可能である。即ち、本発明の第１側面に係るモバイル広告方法は、前記近距離通信手段で他の移動式及び固定式端末機と交信し、前記移動端末機の周辺の一定の範囲に存在する他の移動式及び固定式端末機が、前記移動端末機から出力されるモバイル広告物と同一のモバイル広告物を設けておいたのか、或いは同一のモバイル広告物の設置及び送信を許可し、該許可された同一のモバイル広告物が該移動式及び固定式端末機に設けられるのか否かを確認する予備ステップと、前記同一のモバイル広告物を設けたかそのような設置を許可した他の移動式或いは固定式端末機がネットワーク型モバイル広告を許可しているか否かを確認する他の予備ステップと、前記ネットワーク型モバイル広告を許可した他の移動式或いは固定式端末機をして前記同一のモバイル広告物を外部に出力させる後続ステップとによってなるネットワークモバイル広告ステップをさらに含むことができ、この場合、モバイル広告が行なわれると、移動端末機の周辺に存在する他の移動式及び固定式端末機からもモバイル広告物が出力されて広告の効果を最大化することができる。このようなネットワーク型モバイル広告は、モバイル広告を最初に行なった第１移動端末機と近接した第２移動端末機でも広告が行なわれるようにすることができるだけでなく、第２移動端末機の周辺に存在する第３移動端末機に対しても連鎖的に適用可能である。第２のネットワーク型移動端末機は、ネットワーク型モバイル広告を開示するための第１の移動端末機としても動作可能であり、これはネットワーク型端末機等がより広い範囲をカバーし、第１端末機により開示されたモバイル広告に比べてモバイル広告の効果を一層強化できるようにする。
【００３０】
但し、ネットワーク型モバイル広告の実行においては即刻の広告物の出力が保障されなければならないので、ネットワーク型モバイル広告を行なう前に、現在出力されるモバイル広告物と同一のモバイル広告物が他の移動端末機に設けられているのか否かを確認する作業が先行するのが好ましい。
【００３１】
次に、本発明の第２側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記ノイズ測定部を利用して前記モバイル広告物が外部に出力されるとき、移動端末機の周辺のノイズを測定するノイズ測定ステップと、前記広告中継サーバが前記測定されたノイズを受信し、これを加重値に換算して、前記広告実行ステップが行なわれた会員別に広告実績を演算及び管理する広告実績管理ステップとを含むことを特徴とする。
【００３２】
これは、移動端末機で行なわれるモバイル広告物の時々刻々に変化する広告環境の中でも、移動端末機の周辺のノイズを広告実績に考慮しなければならない重要な広告環境として把握した構成である。本発明は、味、匂い、音、映像またはこれらの組合せでなる多様な広告媒体を取り扱っているので、広告効果を妨げる「ノイズ」もまた、味、匂い、音、映像またはこれらの組合せでなる多様な形態になり得、よって、ノイズを測定するノイズ測定部は各媒体に適した構成としてなされなければならず、これは前記で説明したものと同様である。
【００３３】
本発明の第３側面に係るモバイル広告方法は、味、匂い、音、映像またはこれらの組合せでなる媒体の何れか１つ以上でなるモバイル広告物を外部に出力することができる広告出力部を備えた移動端末機、前記移動端末機の周辺の一定の範囲内に存在する人数、或いは匂い、音、映像またはこれらの組合せでなるノイズに対する設定情報を、前記移動端末機の位置に沿って保存及び管理する支援サーバ、及び前記モバイル広告物を広告主の端末機から収集して会員情報とともに管理する広告中継サーバを利用したモバイル広告方法において、 前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記支援サーバが、前記広告実行ステップが行なわれたことを感知した場合、前記移動端末機の位置に沿う前記設定情報を前記広告中継サーバに送信する設定情報送信ステップと、前記広告中継サーバが前記設定情報を受信してこれを加重値に換算し、前記広告実行ステップが行なわれた会員別に広告実績を演算及び管理する広告実績管理ステップとを含むことを特徴とする。
【００３４】
前述した本発明の第１及び第２側面に係るモバイル広告方法の場合は、端末機側で広告実績に反映する加重値として人数やノイズを測定する反面、本発明の第３側面に係るモバイル広告方法は、移動端末機の位置を追跡し、移動端末機の位置に沿って移動端末機の周辺の一定の範囲内に存在する人数、或いは匂い、音、映像またはこれらの組合せでなるノイズに対する設定情報を保存及び管理する支援サーバを利用するとの点で相違する。
【００３５】
支援サーバを利用する場合、移動端末機に人数やノイズを測定するための別途の構成を備えなくともよいとの利点があり、この場合、支援サーバは、例えばソウルの江南駅に対しては騷音ノイズと人数測定値を全て高い値に設定しておくことにより、広告中継サーバが広告実績を評価するとき、江南駅の騷音加重値は０．５、人数加重値は２．０が適用されるように構成することが可能である。
【００３６】
これと関連し、本発明の第４側面に係るモバイル広告方法は、味、匂い、音、映像またはこれらの組合せでなる媒体の何れか１つ以上からなるモバイル広告物を外部に出力することができる広告出力部を備えた移動端末機、前記移動端末機の周辺の一定の範囲内に存在する人数を前記移動端末機の位置に沿って測定及び管理する支援サーバ、及び前記モバイル広告物を広告主の端末機から収集して会員情報とともに管理する広告中継サーバを利用したモバイル広告方法において、前記広告中継サーバが前記移動端末機に前記モバイル広告物を送信して該送信内訳を管理し、前記送信されたモバイル広告物の出力条件を指定する広告物設置ステップと、前記出力条件が満たされるとき、前記移動端末機が前記広告出力部を介し前記モバイル広告物を外部に出力する広告実行ステップと、前記支援サーバが、前記広告実行ステップが行なわれたことを感知した場合、前記移動端末機の位置に沿って測定された人数情報を前記広告中継サーバに送信する人数情報送信ステップと、前記広告中継サーバが前記人数情報を受信してこれを加重値に換算し、前記広告実行ステップが行なわれた会員別に広告実績を演算及び管理する広告実績管理ステップとを含むことを特徴とする。
【００３７】
本発明の第４側面に係る広告方法は、前述の第１側面に係る広告方法と比べると、支援サーバが移動端末機の人数測定機能に代わるという違いがある。即ち、本発明の第１側面に係る広告方法の場合は、移動端末機が人数測定部を備え、モバイル広告が行なわれるとき周辺の人数を測定させているが、本発明の第３側面に係る広告方法は、移動端末機にこのような人数測定部を設けなくとも、支援サーバが人数を測定して広告実績に反映することが可能である。一方、もし支援サーバと無線で情報を交換することができるノイズ測定器が地域別に配置されている場合は、支援サーバが人数を測定するだけでなく、移動端末機の位置別に存在するノイズまで測定可能なことは当然である。支援サーバがノイズの測定まで支援することができれば、移動端末機にはノイズの測定のための構成要素等、例えばマイクや光センサ、粒子抽出機などの装置を設ける必要がなくなる。
【００３８】
本発明の第４側面に係る広告方法において、前記支援サーバは、移動通信に加入した移動端末機ユーザーの位置情報を追跡・管理する基地局を含み、前記基地局により測定された前記一定の範囲内の移動端末機の個数を人数として測定するのが好ましい。さらに、前記移動端末機及び前記支援サーバは、それぞれ衛星との交信を可能にするＧＰＳ手段をさらに備え、前記支援サーバは、前記衛星から受信した移動端末機の位置情報に基づき前記一定の範囲内の移動端末機の個数を人数として測定するのも好ましい。
【００３９】
一方、本発明の第５側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する人数を測定することができる人数測定部とを備えた移動端末機、及び前記モバイル広告物を広告主の端末機から収集して会員情報とともに管理する広告中継サーバを利用したモバイル広告方法において、前記移動端末機側で、前記人数測定部を利用して前記移動端末機の周辺の人数を測定し、前記測定された人数が所定値を超えるのか否かを監視する人数監視ステップと、前記測定された人数が所定値を超える場合、前記広告中継サーバが前記移動端末機に前記モバイル広告物の強制送信を行ない、前記強制送信の内訳を管理し、前記送信されたモバイル広告物の出力条件を指定する広告物設置ステップと、前記出力条件が満たされるとき、前記移動端末機は前記広告出力部を介して前記モバイル広告物を外部に出力し、前記広告中継サーバは前記強制送信を許可した会員別に広告実績を演算及び管理する広告実行・実績管理ステップとを含むことを特徴とする。
【００４０】
さらに、本発明の第６側面に係るモバイル広告方法は、味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、前記移動端末機側で、前記ノイズ測定部を利用して前記移動端末機の周辺のノイズを測定し、前記測定されたノイズが所定値を超えるのか否かを監視するノイズ測定ステップと、前記測定されたノイズが所定値未満の場合、前記広告中継サーバが前記移動端末機に前記モバイル広告物の強制送信を行ない、前記強制送信の内訳を管理し、前記送信されたモバイル広告物の出力条件を指定する広告物設置ステップと、前記出力条件が満たされるとき、前記移動端末機は前記広告出力部を介し前記モバイル広告物を外部に出力し、前記広告中継サーバは前記強制送信を許可した会員別に広告実績を演算及び管理する広告実行・実績管理ステップとを含むことを特徴とする。
【００４１】
即ち、本発明の第５及び第６側面に係るモバイル広告方法は、移動端末機に人数測定部やノイズ測定部を備えるようにして移動端末機の周辺人数や周辺ノイズを持続的に監視したあと、周辺の人数が所定値を超えるか、周辺のノイズが所定値より小さいためモバイル広告の実行に適すると認められるときのみにモバイル広告が行なわれるようにする技術である。強制的な送信を行う場合は、移動端末機がモバイル広告物を常に保存している必要がないので、移動端末機のメモリ負担を低減させることができる。しかし、前記の場合において、強制的な送信を行なわない代わりに、端末機が送信目録を管理し、人数とノイズの臨界値を出力条件として用いることも可能である。
【００４２】
一方、前述した本発明の第１〜第６側面に係るモバイル広告方法の場合、前記広告中継サーバが、前記広告実績に従い、会員である前記移動端末機のユーザーに通信料支援及びその他の形態の払戻制度、電子クーポンの発行、電子ポイントの積立及び謝恩品の支給の何れか１つ以上の補償を提供する補償ステップをさらに含むのが好ましい。
【００４３】
これは、広告中継サーバが得た会員別の広告実績の情報を利用して広告中継サーバで行なうモバイル広告に参加した会員等に補償するステップであって、これを介しモバイル広告に対するユーザーの参加度を高めることができる。
【００４４】
さらに、前述した本発明の第１〜第６側面に係るモバイル広告方法の場合、前記広告中継サーバは、モバイル広告物が出力される時間帯別に互いに異なる時間別の加重値を設定し、これを前記広告実績の演算時に反映するのがより好ましい。同じ場所であるとしても、その場所の人数やノイズは時間帯別に変化するので、これを広告実績にともに反映すれば、さらに精緻な広告実績の評価が可能なはずである。
【００４５】
さらに、前記移動端末機は、前記広告出力部がモバイル広告物を出力する出力レベル、モバイル広告物の出力回数及びモバイル広告物の出力時間のうち少なくとも１つの出力情報を監視する出力情報監視部をさらに備え、前記広告中継サーバは、前記移動端末機から前記出力情報を受信して前記広告実績の演算時に反映するのがより好ましい。
【００４６】
例えば、音媒体でなるモバイル広告物の場合、ユーザー毎に移動端末機の音量を別に設定したとき、周辺に及ぼす広告効果が異なるしかない。よって、前記のような構成を介し、広告中継サーバは移動端末機のユーザーが設定しておいた多様な端末機の環境を広告実績に反映することが可能である。
【００４７】
一方、本発明の第１〜第６側面に係るモバイル広告方法において、前記出力条件は、前記移動端末機が呼信号を着信する場合にすることができ、前記広告出力部を無出力状態に設定した場合でも、前記出力条件が満たされるときは前記モバイル広告物を外部に強制出力するように、前記移動端末機に対しオーバーライド(Override)機能を設定するオーバーライド設定ステップをさらに含むこともできる。
【００４８】
例えば、携帯電話にベルが鳴る場合に音型モバイル広告物を出力させるとしても、ユーザーが携帯電話を振動モードに設定しておいた場合はモバイル広告物が出力できず、この場合、広告中継サーバは発生してもいない広告実績を認める過ちを犯すことがある。したがって、マナーモードの場合でも、ユーザーがモバイル広告を行なうことにした会員であれば強制にモバイル広告が行なわれるようにして、行なわれるべきモバイル広告が漏れることがないように保障するのが好ましい。
【００４９】
前述のような本発明の第１〜第６側面に係るモバイル広告方法は、モバイル広告用移動端末機とモバイル広告システムとしても具現することができる。
【００５０】
即ち、本発明に係るモバイル広告用移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する人数を測定することができる人数測定部と、前記モバイル広告物を広告主の端末機から収集して会員情報とともに管理する広告中継サーバと通信可能な無線送受信部と、前記保存部、広告出力部、人数測定部及び無線送受信部と接続して機器の全体的な制御を担当する制御部とを備え、前記制御部は、前記出力条件が満たされるとき、前記広告出力部を介し前記モバイル広告物を外部に出力し、前記人数測定部を利用して前記モバイル広告物が外部に出力されるとき、移動端末機の周辺の人数を測定し、前記無線送受信部を介し該測定値を前記広告中継サーバに送信することにより、前記広告中継サーバが前記測定された人数を受信し、これを加重値に換算して前記モバイル広告物を出力した会員別に広告実績を演算及び管理できるようにすることを特徴とする。
【００５１】
さらに、本発明によれば、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部と、前記モバイル広告物を広告主の端末機から収集して会員情報とともに管理する広告中継サーバと通信可能な無線送受信部と、前記保存部、広告出力部、ノイズ測定部及び無線送受信部と接続して機器の全体的な制御を担当する制御部とを備え、前記制御部は、前記出力条件が満たされるとき、前記広告出力部を介し前記モバイル広告物を外部に出力し、前記ノイズ測定部を利用して前記モバイル広告物が外部に出力されるとき、移動端末機の周辺のノイズを測定し、前記無線送受信部を介し該測定値を前記広告中継サーバに送信することにより、前記広告中継サーバが前記測定されたノイズを受信し、これを加重値に換算して前記モバイル広告物を出力した会員別に広告実績を演算及び管理できるようにすることを特徴とするモバイル広告用移動端末機を具現することも可能である。
【００５２】
本発明に係るモバイル広告システムは、味、匂い、音、映像またはこれらの組合せでなる媒体の何れか１つ以上からなるモバイル広告物を外部に出力することができる広告出力部を備えた移動端末機と、前記移動端末機の周辺の一定の範囲内に存在する人数、或いは匂い、音、映像またはこれらの組合せでなるノイズに対する設定情報を前記移動端末機の位置に沿って保存及び管理する支援サーバと、前記モバイル広告物を広告主の端末機から収集して会員情報とともに管理する広告中継サーバとを備えるモバイル広告システムにおいて、前記広告中継サーバは、前記移動端末機に前記モバイル広告物を送信して該送信内訳を管理し、前記送信されたモバイル広告物の出力条件を指定し、前記移動端末機は、前記出力条件が満たされるとき、前記広告出力部を介し前記モバイル広告物を外部に出力し、前記支援サーバは、前記モバイル広告物が出力された場合、前記移動端末機の位置に沿う前記設定情報を前記広告中継サーバに送信し、前記広告中継サーバは、前記設定情報を受信してこれを加重値に換算し、前記モバイル広告物を出力した会員別に広告実績を演算及び管理することを特徴とする。
【００５３】
味、匂い、音、映像またはこれらの組合せでなる媒体の何れか１つ以上からなるモバイル広告物を外部に出力することができる広告出力部を備えた移動端末機と、前記移動端末機の周辺の一定の範囲内に存在する人数を前記移動端末機の位置に沿って測定及び管理する支援サーバと、前記モバイル広告物を広告主の端末機から収集して会員情報とともに管理する広告中継サーバとを備えるモバイル広告システムにおいて、前記広告中継サーバは、前記移動端末機に前記モバイル広告物を送信して該送信内訳を管理し、前記送信されたモバイル広告物の出力条件を指定し、前記移動端末機は、前記出力条件が満たされるとき、前記広告出力部を介し前記モバイル広告物を外部に出力し、前記支援サーバは、前記モバイル広告物が出力された場合、前記移動端末機の位置に沿って測定された人数情報を前記広告中継サーバに送信し、前記広告中継サーバは、前記人数情報を受信してこれを加重値に換算し、前記モバイル広告物を出力した会員別に広告実績を演算及び管理することを特徴とするモバイル広告システムを具現することもできる。
【００５４】
さらに、本発明に係るモバイル広告用移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する人数を測定することができる人数測定部と、前記モバイル広告物を広告主の端末機から収集して会員情報とともに管理する広告中継サーバと通信可能な無線送受信部と、前記保存部、広告出力部、人数測定部及び無線送受信部と接続して機器の全体的な制御を担当する制御部とを備え、前記制御部は、前記人数測定部を介し周辺の人数を測定し、前記測定された人数が所定値を超えるのか否かを監視し、前記測定された人数が所定値を超える場合、前記広告中継サーバから前記モバイル広告物の強制送信を受けて、前記出力条件が満たされるとき、前記広告出力部を介し前記モバイル広告物を外部に出力し、前記広告中継サーバに該内訳を送信することにより、前記広告中継サーバが前記強制送信を許可した会員別に広告実績を演算及び管理できるようにすることを特徴とする。
【００５５】
この他にも、本発明に係る移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部と、前記モバイル広告物を広告主の端末機から収集して会員情報とともに管理する広告中継サーバと通信可能な無線送受信部と、前記保存部、広告出力部、ノイズ測定部及び無線送受信部と接続して機器の全体的な制御を担当する制御部とを備えることができる。
【００５６】
この場合、前記制御部は、前記ノイズ測定部を介し周辺のノイズを測定し、前記測定されたノイズが所定値を超えるのか否かを監視し、前記測定されたノイズが所定値未満の場合、前記広告中継サーバから前記モバイル広告物の強制送信を受けて、前記出力条件が満たされるとき、前記広告出力部を介し前記モバイル広告物を外部に出力して前記広告中継サーバに該内訳を送信することにより、前記広告中継サーバが前記強制送信を許可した会員別に広告実績を演算及び管理できるようにすることを特徴とするモバイル広告用移動端末機を具現することも可能である。
【００５７】
本発明に係る移動端末機は、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部及び／または人数測定部と、前記モバイル広告物を広告主の端末機から収集して会員情報とともに管理する広告中継サーバと通信可能な無線送受信部と、前記保存部、広告出力部、人数測定部、ノイズ測定部及び無線送受信部と接続して機器の全体的な制御を担当する制御部とを備えることもできる。ここで前記制御部は、 前記人数測定部を介して移動端末機の人数を測定し、さらに前記制御部は、ノイズ測定部を介して移動端末機周辺のノイズを測定する。この場合、移動端末機１００は人数を測定し移動端末機１００’と移動端末機１００’’を測定し、移動端末機１００'及び１００''は人数を測定し移動端末機１００''、１００'''等を測定し、ここで移動端末機１００は移動端末機１００’と移動端末機１００’’の広告媒体を確認し、移動端末機１００は移動端末機１００’と移動端末機１００’’に広告媒体を強制送信することも、そうしないこともある。移動端末機１００が、移動端末機１００’と移動端末機１００’’が同一の広告媒体セットを有しているものと確認する場合、移動端末機１００、１００’及び１００’’の何れでもともに広告媒体を出力することができ、もし移動端末機１００が移動端末機１００’及び移動端末機１００’’とは異なる広告媒体を有すれば、その互いに異なる広告媒体は間隔を置くか組み合わせて集合的に行なわれ得る。なお、 前記出力条件が満たされるとき、前記広告出力部を介して前記モバイル広告物を外部に出力し、前記広告中継サーバにモバイル広告物の出力内訳を送信することにより、前記広告中継サーバが前記強制送信を許可した会員別に広告実績を演算及び管理することが可能である。
【００５８】
本発明に係る移動端末機はさらに、味、匂い、音、映像またはこれらの組合せでなる媒体の何れか１つ以上からなるモバイル広告物を保存する保存部と、前記モバイル広告物を所定の出力条件に従って外部に出力することができる広告出力部と、周辺の一定の範囲内に存在する匂い、音、映像またはこれらの組合せでなるノイズを測定することができるノイズ測定部及び／または人数測定部と、前記モバイル広告物を広告主の端末機から収集して会員情報とともに管理する広告中継サーバと通信可能な無線送受信部と、前記保存部、広告出力部、人数測定部、ノイズ測定部及び無線送受信部と接続して機器の全体的な制御を担当する制御部とを備えることができる。ここで前記制御部は，前記人数測定部を介して移動端末機の人数を測定し、前記ノイズ測定部を介して移動端末機周辺のノイズを測定する。この場合、例えば移動端末機１００のユーザーＡが移動端末機１００’のユーザーＢと移動端末機１００’’のユーザーＣを人数の測定途中に感知し、定められたノイズ範囲内でユーザーＡにより出力されるモバイル広告にユーザーＢ及びユーザーＣがさらされていたものとして決められる。ユーザーＢとユーザーＣは、前記広告中継サーバに対するユーザーＡの人数測定データに記録され、ユーザーＡの広告データベース及びユーザーＢとユーザーＣの購買データベースを比較することにより、ユーザーＢとユーザーＣがユーザーＡにより出力された広告に基づいて製品を購買していたものと決められ得る。なお、前記出力条件が満たされるとき、前記広告出力部を介して前記モバイル広告物を外部に出力し、前記広告中継サーバにその内訳を送信することにより、前記広告中継サーバが前記強制送信を許可した会員別に広告実績を演算及び管理することが可能である。
【発明の効果】
【００５９】
本発明は移動端末機と広告中継サーバを利用したモバイル広告方法に関するものであって、移動端末機からモバイル広告が出力されるときは、その周辺の人数やノイズという多様な環境が時々刻々に変化するとの点を勘案したモバイル広告方法を提案している。
【００６０】
このように本発明は、移動端末機を利用した広告をモバイル広告として把握し、このモバイル広告が行なわれる状況が時々刻々に変化し得るとの点を勘案し、モバイル広告という特殊な状況に適した移動端末機を利用したモバイル広告方法を提供する。したがって、モバイル広告を行なう移動端末機のユーザーにとっては、適正に広告実績を評価して管理することが可能であり、これを介しユーザーだけでなく広告主のモバイル広告に対する参加度を高めることが可能である。
【図面の簡単な説明】
【００６１】
【図１】本発明に係るモバイル広告方法を行なうことができるモバイル広告用移動端末機の構成を示す図である。
【図２】本発明に係るモバイル広告システムを示す図である。
【図３】本発明に係るネットワーク型モバイル広告が行なわれる場合を示す図である。
【図４】本発明に係るモバイル広告方法の第１実施形態を示すフローチャートである。
【図５】本発明に係るモバイル広告方法の第２実施形態を示すフローチャートである。
【図６】本発明に係るモバイル広告方法の第３実施形態を示すフローチャートである。
【発明を実施するための形態】
【００６２】
以下、図を参照しながら、本発明の好ましい実施形態に対し詳しく説明する。
図１は、本発明に係るモバイル広告方法を行なうことができる移動端末機を示す図である。図２は、本発明に係るモバイル広告システムを示す図である。
【００６３】
先ず、図１に示されているように、本発明に係る移動端末機１００は全体的な機器制御を行なう制御部１１０を含み、制御部１１０は味、匂い、音、映像またはこれらの組合せでなる媒体を出力することができる広告出力部１２０と接続されている。例えば、本開示内容において「端末機」という用語は、ＰＣ、携帯電話、ＰＤＡ(Personal Digital Assistance)などのように、有線或いは無線データ技術を支援する如何なるタイプの端末も意味するものである。
【００６４】
本発明に係るモバイル広告物は、味、匂い、音、映像あるいはこれらの組合せで構成された媒体の形を取ることができ、モバイル広告物は図２に示した広告中継サーバ２００が広告主の端末機（図示省略）から受け付けて広告中継データベース２１０で保存及び管理することになる。さらに、移動端末機１００のユーザーが要請するか、広告中継サーバ２００側で任意に移動端末機１００の無線送受信部１５０を介しモバイル広告物に関するコンテンツを移動端末機１００に送信する場合は、それは移動端末機１００の保存部１７０でも保存及び管理される。ここで、広告中継データベース２１０は、モバイル広告だけでなくユーザー分析により得られた情報を含むこともできる点に注意する。即ち、広告中継サーバ２００は、広告中継データベース２１０に保存された分析されているユーザー情報に基づいてユーザーに対するモバイル広告を自動的にリンクするか推薦することが可能である。さらに、ユーザー分析には多様なモバイル広告に対するユーザーの好みの分析が含まれ得、これは広告中継サーバ２００をしてユーザーの好みの分析に基づいて特定のユーザーに好ましいモバイル広告を推薦させるのに役立ち得る。
【００６５】
一方、広告出力部１２０は、モバイル広告物の形態が如何なるかに従って構成が変化するが、音を出力するスピーカー、映像を出力するＬＣＤで構成でき、この他にも味覚や嗅覚を刺激することができる粒子の配合状態に関するデータに基づいて粒子を外部に排出することができる粒子出力機の形態にも構成できる。なお、広告出力部１２０の音や映像、或いは粒子の排出状態は、ユーザーの外部入力を受信する設定部１６０及び制御部１１０の制御を受ける。
【００６６】
広告出力部１２０がモバイル広告物を出力する場合、制御部１１０はモバイル広告物の出力レベル、出力回数及び出力時間のうち少なくとも１つの出力情報を監視しなければならず、このような出力情報に関する値等は広告中継サーバ２００に送信されて広告実績の演算時に反映される。制御部１１０が行なうこのような出力情報監視動作は、出力情報監視部(図示省略)として別個の構成で具現することも可能である。
【００６７】
次に、制御部１１０は人数測定部１３０とノイズ測定部１４０の動作も制御し、人数測定部１３０は赤外線通信手段のような近距離通信装置で構成できる。本発明において人数は、モバイル広告物にさらされる周辺の人達の数を意味し、一人当たり１つの移動端末機を保有するとの前提下で移動端末機の個数を人数として決めることが可能である。人数は、後述する広告実績の評価において肯定的な要因として作用する。
【００６８】
一方、ノイズ測定部１４０は、前記で説明した広告出力部１２０の場合と同様に、モバイル広告物の媒体の形態が如何なるのかに従って多様な形態に構成できる。例えば、モバイル広告物が音や映像であれば、ノイズ測定部１４０は外部の騷音を測定することができるマイク、或いは外部の光量を測定することができる光センサで構成可能であり、これは移動端末機の周辺の人達にオープンにされなければならないモバイル広告物の広告力を低下させる環境的な要素として評価するための要因である。
【００６９】
図２には、本発明の一実施形態に係るモバイル広告システム５００が示されている。広告中継サーバ２００は、前記で説明したように、広告主の端末機（図示省略）からモバイル広告物を受信し、広告中継データベース２１０を介しモバイル広告物及び会員情報を保存及び管理する構成である。広告中継サーバ２００は、ウェブサイトを提供し、これを介しモバイル広告に参加する会員を募集することもできる。
【００７０】
支援サーバ３００は、移動端末機１００の人数測定部１３０やノイズ測定部１４０が担当するモバイル広告環境の測定機能を代行するための構成であって、移動端末機１００の無線送受信部１５０を介し移動端末機１００の位置を追跡し、当該位置別に人数や周辺のノイズに関し予め値を設定して支援データベース３１０で管理するように構成されている。この他にも、支援サーバ３００は衛星４００との交信を介し移動端末機１００の位置と人数に関する情報を測定することも可能である。さらに、基地局（図示省略）、ＧＰＳ及び無線ネットワークの接続性を利用して移動端末機１００の位置を把握及び管理することができる。
【００７１】
図２では、広告中継サーバ２００と支援サーバ３００を物理的に別個の構成として示したが、モバイル広告事業を営む広告中継業者がこれらの２つのサーバを１つのサーバとして運営することも当然可能である。
【００７２】
一方、図３は移動端末機においてネットワーク型モバイル広告が行なわれる場合を示す図である。図４は、本発明の第１実施形態に係るモバイル広告方法を示すフローチャートである。図５は、本発明の第２実施形態に係るモバイル広告方法を示すフローチャートである。図６は、本発明の第３実施形態に係るモバイル広告方法を示すフローチャートである。ここで構成要素１００が１００'をスキャンし、これが再度構成要素１００をスキャンすることもできる点に注意する。個々の端末機がネットワーク型モバイル広告を開示することができるのである。
以下、図１〜図６を参照しながら、本発明のモバイル広告方法に関する好ましい実施形態を詳しく説明する。
【００７３】
＜第１実施形態＞
図４に示されているように、広告中継サーバ２００は、例えば自主的に運営するウェブサイトを介し広告主を募集する（ステップＳ１）。この場合、広告主の端末機（図示省略）は広告中継サーバ２００が運営するウェブサイトに広告主会員として加入し、モバイル広告に用いるモバイル広告物を登録すればいい。
【００７４】
次に、広告中継サーバ２００は、広告中継ウェブサイトを介しモバイル広告に参加する一般の会員を募集し、募集された会員にモバイル広告物を送信して設ける（ステップＳ２）。
ここで一般の会員とは、ネットワーク型モバイル広告を行うことができる移動端末機１００、１００’、１００’’を保有した者であって、広告中継サーバ２００からダウンロードしたモバイル広告物を所定の条件に従って出力することにより、広告代行者としての役割を果たす者を意味する。モバイル広告物の送信及び設置は、移動端末機１００のユーザーの要請によるＰＵＬＬ形態で行なわれてもよく、モバイル広告物の簡便な設置とアップデートのため、ユーザーの要請がなくとも広告中継サーバ２００が移動端末機１００にモバイル広告物を送信するＰＵＳＨ形態で行なわれてもよい。
【００７５】
移動端末機１００の保存部１７０にモバイル広告物が設けられると、移動端末機１００の制御部１１０は広告中継サーバ２００と会員との間に定められた広告条件が満たされるのか否かを確認する（ステップＳ３）。ここで広告条件とは、例えば携帯電話が呼信号を着信する場合にモバイル広告物に伴う広告着信音や映像広告物を出力させる場合、或いは人数測定部により行なわれる人数計測が十分大きい場合や、ノイズ計測値が十分小さい場合にモバイル広告が出力される場合などのモバイル広告物出力条件を意味する。この具体的な内容は広告中継サーバ２００が予め設定しておくこともできるが、広告中継サーバ２００と移動端末機１００のユーザー（会員）との間の協議により定められることもある。広告条件に関するデータは、移動端末機１００の保存部１７０及び広告中継サーバ２００の広告中継データベース２１０で保存及び管理される。
【００７６】
広告条件が満たされなければ（ステップＳ３で「ＮＯ」の場合）、ステップＳ２に戻って広告条件が満たされるのを待機する状態となり、広告条件が満たされる場合は（ステップＳ３で「ＹＥＳ」の場合）、ステップＳ４に進んでモバイル広告を行なう。モバイル広告の実行は、前記で説明したように、制御部１１０と広告出力部１４０を介し行なわれ、音や映像広告の場合は、制御部１１０が保存部１７０に保存されている音源や映像物を広告出力部１４０にローディングし、Ｄ／Ａ変換手段を介し外部に音や映像を出力することになる。さらに、匂いや味に関わる広告の場合は、広告出力部１４０が人の触覚や味覚を刺激する粒子を種類別に盛り込んでおいた状態で、制御部１１０の指示に合わせて各粒子別に出力開閉の可否を決め、粒子の組合せを移動端末機１００の外部に出力すればいい。勿論、このような味、匂い、音及び映像の形態でなる広告物は、味と匂い、味と音、音と映像などの形態に組合せが可能であり、このような組み合わせ合物は、広告にさらされる周辺の人達に特定の製品や広告主を関連付けるようにすることができる広告物としての性格を有する。
【００７７】
モバイル広告が行なわれると、移動端末機１００側では人数測定部１３０を利用して周辺人数を測定し（ステップＳ５）、ノイズ測定部１４０を利用して移動端末機１００の周辺のノイズを測定する（ステップＳ６）。図４では、ステップＳ５とステップＳ６が同時に行なわれるものと示したが、モバイル広告が行なわれたあと人数のみ測定するかノイズのみ測定しても構わず、人数とノイズを同時に測定するか順次測定しても構わない。第１実施形態は、行なわれたモバイル広告物の広告効果の評価において、移動端末機１００が測定した人数値やノイズ値を考慮する方式を取っているので、ステップＳ５やステップＳ６の実行はモバイル広告物の媒体の形態に合わせて行なわれなければならないとの点に留意すべきである。
【００７８】
ステップＳ５とステップＳ６が同時にまたは順次行なわれる場合は、ノイズ測定を先ず行ない、該測定されたノイズのレベルに従って人数を測定する範囲を差別的に決めるのが好ましい。
【００７９】
例えば、人数を測定するデフォルト範囲が１０ｍの場合、移動端末機の現在位置の周辺が汚物などで甚だしい悪臭があるものとノイズが測定されたのであれば、匂いや味に関わる広告物にさらされた周辺の人達が実際には匂いや味を感じることができないはずなので、０．５ｍ半径以内にいる人達に対してのみ広告効果を認めて赤外線通信手段で周辺人数を測定させることができる。参考までに、人数を測定する「一定の範囲」は必ず円形の形態である必要はない。一定の範囲は平面的でも、立体的でもあり得、例えば赤外線信号を通過させ得ない壁が存在する場合は、任意の四角形の形態を取ることもある。モバイル広告が行なわれる移動端末機１００といくら近くに人がいても、移動端末機１００のユーザーの間に壁が存在して音や匂い、映像に関する広告物が見られない状況であれば、ステップＳ５において人数としてカウントされないはずである。
【００８０】
但し、近距離通信手段として赤外線でなく無線周波数(RF:Radio Frequency)を利用する場合であれば、移動端末機１００のユーザーと他の移動端末機のユーザーとの間に壁のような障害物が存在するとしても、移動端末機間の交信が可能なので人数をカウントすることができる。
【００８１】
次に、モバイル広告が行なわれる時の移動端末機周辺の人数とノイズが測定されたあと、制御部１１０はその値を無線送受信部１５０を介し広告中継サーバ２００に送信し、広告中継サーバ２００は人数とノイズの測定値を加重値に換算して広告実績を演算及び管理する（ステップＳ７）。
【００８２】
例えば、一回の音形態のモバイル広告の実行ごとに１００点を与えるようにした場合、赤外線通信装置でなる人数測定部１３０が基準値の１０人よりも５人が多い１５人を測定し、ノイズ測定部１４０が基準値である１０ｄＢの２倍である２０ｄＢを測定したのであれば、広告実績は１００＊１．５（人数測定値の反映分）＊０．５（ノイズ測定値の反映分）＝７５点に演算されるように構成することができる。
【００８３】
なお、この７５点という広告実績は広告中継データベース２１０で会員別に管理され、後で広告中継サーバ２００が広告実績に従って会員に通信料の割引き及びその他の払戻制度、電子クーポンの発行、電子ポイントの積立或いは謝恩品の支給の形態で補償する場合に用いられる。
ステップＳ７において、広告中継サーバ２００はモバイル広告物が行なわれた視覚情報を確認し、モバイル広告物が出力される時間帯別の加重値を与えて広告実績を演算することも可能である。
【００８４】
例えば、移動端末機１００のユーザーに対し、明け方４時には広告用匂いが出力されても加重値０．０を乗算して広告実績として認めないようにし、サラリーマンのユーザーが仕事で多忙な頃の午後２時には、広告用匂いが出力されるとき加重値１．１を乗算させることができるはずである。
【００８５】
一方、図４には示していないが、ステップＳ４からステップＳ７へ進む過程で、移動端末機１００の制御部１１０或いは出力情報監視部（図示省略）が広告出力部１２０により出力されるモバイル広告物の出力回数、出力レベル、出力時間などの広告出力情報を収集して広告中継サーバ２００に送信し、広告中継サーバ２００では受信された広告出力情報に基づき広告実績を演算することが可能である。
【００８６】
例えば、音形態のモバイル広告物が音量２０で１０秒出力されることに対しそれぞれデフォルト加重値の１．０を適用する場合、もしモバイル広告に関する音が音量４０で２０秒出力されるのであれば、２．０＊２．０の加重値である４．０の加重値を反映して広告実績を演算することが可能である。
【００８７】
この他にも、図４には示していないが、ステップＳ４及びステップＳ７では、現実的に次のような問題が発生し得る。即ち、例えばモバイル広告物が移動端末機１００の広告出力部１２０を介し発射されるレーザ形態の視覚型広告物（いわば、映像広告物）の場合、ユーザーが設定部１６０を介し電話ベルが鳴ってもレーザが発射されないように設定したのであれば、電話ベルという広告条件が満たされたにもかかわらずステップＳ４が行なわれない状況が発生し得る。
【００８８】
このような状況に備え、広告中継サーバ２００が移動端末機１００にモバイル広告物を送信するステップＳ２で、移動端末機１００の制御部１１０にオーバーライド機能を植え込んでおくのが好ましい。オーバーライド機能は、移動端末機のユーザーが任意に機器の動作状態を調節しても、一定の条件が充足されると、ユーザー設定を無視して或る動作を強制に行なうか行なわないようにする機能を言うが、このようなオーバーライド機能を本発明に係るモバイル広告方法のステップＳ４に適用することにより、モバイル広告が確かに行なわれるようにすることができる。逆に、オーバーライド機能により、モバイル広告が出力されないようになる場合でないときにのみステップＳ４が行なわれるように構成することも可能なはずである。
【００８９】
一方、移動端末機１００の人数測定部１３０が近距離通信手段を含む場合、ステップＳ４はネットワーク型広告実行ステップをさらに含むのが好ましい。ネットワーク型広告は、図３に示されているように、移動端末機１００の一定の範囲（半径Ａ）に存在する他の端末機１００’が、現在出力されているモバイル広告物と同一又は相違し得るモバイル広告物であって、端末機１００ 'により管理されることもそうではないこともあり、移動端末機１００により強制送信されるかそうではないモバイル広告物を出力する状態を意味する。広告条件が未だ満たされていない他の移動端末機１００'を近距離ネットワーク手段が認知した場合、ネットワーク型モバイル広告は広告条件を満足させることができる。移動端末機１００及び１００'は、人数測定のため通信する。２つの端末機の間の通信は、広告類型ＩＤ、装置ＩＤ等のデータを含むことができ、これは当該端末機に保存されるか、或いは広告計測の正確性の強化のため支援サーバへ送信され得る。
【００９０】
このようなネットワーク型モバイル広告はモバイル広告の広告範囲を最大化するための技法であって、移動端末機１００’が再度半径Ｂに属するさらに他の移動端末機１００’’に対し広告が開示されるようにする連鎖的な形態のモバイル広告を行なうように構成することも可能であり、この場合、移動端末機１００のモバイル広告効果は半径Ａ＋Ｂを超える範囲に対してまでも及ぶことになり、移動端末機１００のユーザーとしては一回のモバイル広告で通常よりさらに多い広告実績を得ることができるようになる。
【００９１】
前記ネットワーク型広告が、端末機１００及び１００’において互いに異なる２つの広告を用いる場合も可能である。例えば、端末機１００及び１００’は、音楽を構成する互いに異なる音調を演奏するか、互いに異なる色のレーザを発射して１つのイメージをともに形成することができる。
【００９２】
＜第２実施形態＞
図５は、本発明の第２実施形態に係るモバイル広告方法を示している。
本発明の第２実施形態は、第１実施形態と比べるとき、ステップＳ’５〜ステップＳ’７でのみ相違するので、ステップＳ’１〜ステップＳ’４に対する説明はこれに対応する第１実施形態のステップＳ１〜ステップＳ４に対する説明でそれぞれ代替するようにする。
【００９３】
本発明の第２実施形態では、モバイル広告が行なわれた（ステップＳ’４）あと、モバイル広告が行なわれた周辺の環境的な要素等を移動端末機１００側で測定するのではなく、支援サーバ３００により測定するか、設定された人数値とノイズ値により広告実績を演算するように構成されている。
【００９４】
ステップＳ’５は支援サーバ３００が人数を測定するステップであって、支援サーバ３００は広告中継サーバ２００が広告実績に人数を加重値として反映できるようステップＳ’４を行なった移動端末機の周辺人数を測定する。移動端末機１００の無線送受信部１５０がＧＰＳを含む場合であれば、衛星４００により移動端末機１００の分布状況が監視可能なので、支援サーバ３００はＧＰＳ手段（図示省略）を介し衛星４００と交信し、移動端末機１００の周辺の一定の範囲に存在する人数を測定することができる。さらに、支援サーバ３００が基地局（図示省略）を含むのであれば、基地局（図示省略）で把握している移動端末機１００の位置情報と人数情報を利用し、ステップＳ’４を行なった移動端末機周辺の人数を支援サーバ３００が測定可能である。人数は、ステップＳ’６に記載されているように、支援サーバ３００で予め地域別に人数値を設定しておき、ステップＳ’４を行なった移動端末機１００の現在位置と人数値をマッチングさせてその値を広告中継サーバ２００に送信するように構成してもよい。
【００９５】
例えば、済州島の周辺人数はデフォルト値として１０を設定しておき、ソウルの周辺人数はデフォルト値として１００を設定することにより、ソウルでモバイル広告を行なった会員に対しては、済州島でモバイル広告を行なった会員に比べて１０倍の加重値が与えられるように構成することができる。
【００９６】
ステップＳ’６で支援サーバ３００は、人数以外に移動端末機１００周辺のノイズ値も地域別に予め設定しておくことができる。例えば、ソウル・京畿地域の平均ノイズ値を１００に設定した場合、空港が位置している金浦地域のノイズ値は１５０に設定することにより、金浦地域でモバイル広告を行なう会員に対してはその他の京畿地域の場合より２／３の加重値のみ与えられるようにすることができる。
【００９７】
図５では、ステップＳ’５とステップＳ’６が同時に行なわれるものと示したが、ステップＳ’５とステップＳ’６は択一的に行なわれてもよく、同時に或いは順次全て行なわれてもよい。
ステップＳ’７では、広告中継サーバ２００が移動端末機１００からモバイル広告の実行通知を受け、支援サーバ３００から人数やノイズの測定値或いは設定値を受信し、広告実績を演算して管理する。勿論、ステップＳ７の場合と同様に、広告実績に従い会員に所定の補償を行なう補償ステップをさらに含むのが、モバイル広告の活性化のため好ましい。
【００９８】
＜第３実施形態＞
図６は、本発明の第３実施形態に係るモバイル広告方法を示している。
先ず、ステップＳ”１で広告中継サーバ２００は、ウェブサイトを利用して広告主を募集し、モバイル広告物を確保して広告中継データベース２１０に保存及び管理する。次に、ステップＳ”２で広告中継サーバ２００は、例えば広告中継ウェブサイトを利用してモバイル広告に参加する移動端末機ユーザーを会員として募集するが、このとき、ステップＳ２やＳ’２とは異なり、モバイル広告物を移動端末機１００に送信するか設置しない。
【００９９】
次に、モバイル広告会員の移動端末機１００の制御部１１０は、広告中継サーバ２００から受信した指示に基づき人数測定部１３０やノイズ測定部１４０を駆動させ、移動端末機１００の周辺人数や周辺ノイズを持続的に測定及び監視する（ステップＳ”３）。もし移動端末機１００の周辺人数が所定値より大きいか、それとも周辺ノイズが所定値より小さい場合は（ステップＳ”３で「ＹＥＳ」の場合）、ステップＳ”５へ進んで広告中継サーバ２００が移動端末機１００にモバイル広告物を送信及び設置する。
【０１００】
即ち、本発明の第３実施形態では、モバイル広告会員として加入しても、モバイル広告物を直ちに設けるものではなく、モバイル広告物を移動端末機１００に設けてもよいほどモバイル広告環境が良好であると認められるときにのみモバイル広告物を移動端末機１００に送信させることにより、移動端末機１００のメモリ資源を節約できるようにしている。
【０１０１】
移動端末機１００にモバイル広告物が設けられたあとは、ステップＳ”６へ進んで移動端末機１００の制御部１１０が所定の広告条件が満たされるのか否かを確認し、所定の広告条件が満たされれば（ステップＳ”６で「ＹＥＳ」の場合）、モバイル広告を行なって（ステップＳ”７）広告中継サーバ２００で広告実績を演算及び管理する（ステップＳ”８）。参考までに、ステップＳ”６はステップＳ”３とステップＳ”４の間で行なわれ得る。
【０１０２】
当業者には、本発明の精神や範囲を超えずとも本発明において多様な変更や改造が行なわれ得るとの点が明らかなはずである。
例えば、本発明の図２は、広告中継サーバ２００と支援サーバ３００が物理的に別に具現されている場合のみを扱っているが、本発明において複数のサーバやデータベースは物理的に別個の形態や、物理的に統合された形態で具現可能である。
【０１０３】
さらに、本発明はＳＭＳ(Short Messaging Service)を利用して適用されてもよい。即ち、もしユーザーが無線インターネット通信を用いることができなければ、該ユーザーは本開示内容で提供された広告アイディアに従って行なわれる自分の広告活動を広告中継サーバ２００に報知するためＳＭＳメッセージを送信することができる。この場合、例えば広告中継サーバ２００は移動通信サービスの利用料を低減させることにより、本発明の広告活動に参加するためＳＭＳメッセージを送信していたユーザーに補償することが可能である。
【０１０４】
本発明において端末機は、有線及び無線通信端末機を全て含むので、有線通信端末機と本発明に係るモバイル広告方法を結合することも可能である。例えば、携帯電話のユーザーがＰＣ店やＴＶ展示場を通り過ぎ、携帯電話がイメージタイプや動画タイプの広告を受信する場合、当該広告は単にその携帯電話自体上でのみ行なわれるのではなく、該携帯電話のユーザーのすぐ近くのＰＣやＴＶのような有線通信端末機上でもネットワーク型モバイル広告のため広告が行なわれ得る。移動端末機１００は、ネットワーク型広告のためＰＣ １００’やＴＶ １００’’端末機に広告メッセージを送信することができる。このような広告コンセプトは、本発明に係るモバイル広告方法と結合された屋外広告に適用され得る。この場合、ビルに設けられたデジタル屋外スクリーンは、当該ビル周辺の移動端末機のユーザーにより伝達されたモバイル広告の出力に用いられ得る。
【０１０５】
それだけでなく、本発明に係るモバイル広告方法の実施により得られる広告成果が、固定された報酬率により演算されなければならないものではないとの点に注意する。例えば、移動端末機１００のユーザーＡがピザ広告を行ない、他の移動端末機のユーザーＢが該ピザ広告に浴しただけでなく、当該ピザ製品を購買していたものとも監視された場合を仮定すれば、これは例えば、ユーザーＢの購買データベースとユーザーＡのさらされた人数データベースとを比較することにより確認できる事柄であって、この場合、ユーザーＡは単なる露出よりさらに大きい広告成果を出したものと認められ、さらに多い広告補償を提供され得る。このような場合、ユーザーＢもまた本発明に基づいた広告活動に参加したことに対する広告補償を得ることができる。参照までに、ユーザーＢがユーザーＡの広告により当該ピザ店に行ったのか否かが分かるための方法には、広告中継サーバがユーザーＡの広告類型及び時間とユーザーＢの購買類型及び時間とをクレジットカード情報などの決済情報に基づいて確認し、ユーザーＡの広告活動とユーザーＢの購買活動との間の時間差が所定の時間値の範囲に属するとともに前記広告類型及び購買類型に係る場合にのみ、ユーザーＡに対して増加した広告成果を認める形の方法が含まれ得る。
【０１０６】
したがって、本発明は前述のような本発明に対する変更と改造が、特許請求の範囲や該等価物の範囲内に属する限り、これを含むものとして意図されたのである。
【手続補正２】
【補正対象書類名】特許請求の範囲
【補正対象項目名】請求項６
【補正方法】変更
【補正の内容】
【請求項６】
味、匂い、音、映像またはこれらの組合せでなる媒体の何れか１つ以上からなるモバイル広告物を外部に出力することができる広告出力部と、周辺の一定の範囲内に存在する匂い、音、映像またはこれらの組合せでなるノイズを測定することができるノイズ測定部とを備えた移動端末機、及び前記モバイル広告物を広告主の端末機から収集して会員情報とともに管理する広告中継サーバを利用したモバイル広告方法において、
前記移動端末機側で、前記ノイズ測定部を利用して前記移動端末機の周辺のノイズを測定し、前記測定されたノイズが所定値を超えるのか否かを監視するノイズ測定ステップと、
前記測定されたノイズが所定値未満の場合、前記広告中継サーバが前記移動端末機に前記モバイル広告物の強制送信を行ない、前記強制送信の内訳を管理し、前記送信されたモバイル広告物の出力条件を指定する広告物設置ステップと、
前記出力条件が満たされるとき、前記移動端末機は前記広告出力部を介し前記モバイル広告物を外部に出力し、前記広告中継サーバは前記強制送信を許可した会員別に広告実績を演算及び管理する広告実行・実績管理ステップと
を含むことを特徴とするモバイル広告方法。
【国際調査報告】
2010532515.tif 000009
2010532515.tif 000010